(57)【特許請求の範囲】
【請求項１】
無線通信システムにおいて端末が下りリンク制御情報を検出する方法であって、
無線リソース制御（ＲＲＣ）シグナリングにより示されるエンハンスト物理下りリンク制御チャネル（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ：ＥＰＤＣＣＨ）をモニタするためのサブフレームを受信するステップと、
前記下りリンク制御情報を検出するために、事前に定義された集約レベル（Ａｇｇｒｅｇａｔｉｏｎ  Ｌｅｖｅｌ）集合にしたがって前記ＥＰＤＣＣＨと関連した検索領域をモニタするステップを含み、
前記検索空間は、前記集約レベル集合にしたがってモニタするために、ＥＰＤＣＣＨ物理リソースブロック（ＥＰＤＣＣＨ−ＰＲＢ）集合で物理リソースブロック（ＰＲＢ）対の数とＥＰＤＣＣＨ候補の数に基づいて設定され、
前記集約レベル集合は、前記下りリンク制御情報送信のためのエンハンスされたリソース領域の数にしたがって、第１集約合レベル集合と第２集約レベル集合の一つであると決定し、
前記第１集約レベル集合と前記第２集約レベル集合は、ＥＰＤＣＣＨ送信のためのＰＲＢ対当たりのリソース要素の数にしたがって、前記ＥＰＤＣＣＨ候補の数に選択的に適用されるように定義され、
前記第１集約レベル集合に関連した一つのＥＰＤＣＣＨに対するＥＣＣＥ（Ｅｎｈａｎｃｅｄ  Ｃｏｎｔｒｏｌ  Ｃｈａｎｎｅｌ  Ｅｌｅｍｅｎｔ）当たりの前記リソース要素の数が、前記第２集約レベル集合に関連した一つのＥＰＤＣＣＨに対するＥＣＣＥ当たりの前記リソース要素の数より少ない時、前記第１集約レベル集合のための集約レベルは、前記ＥＰＤＣＣＨ候補の数に対して設定された前記第２集約レベル集合のための集約レベルの２倍の集約レベルに設定される、下りリンク制御情報検出方法。
【請求項２】
前記リソース領域の数は、ＤＣＩフォーマット（Ｄｏｗｎｌｉｎｋ  Ｃｏｎｔｒｏｌ  Ｉｎｆｏｒｍａｔｉｏｎ  ｆｏｒｍａｔ）種類、システム帯域幅、ＥＰＤＣＣＨ送信に利用可能なリソース要素（Ｒｅｓｏｕｒｃｅ  Ｅｌｅｍｅｎｔ、ＲＥ）の個数、ＥＰＤＣＣＨ集合を構成するＰＲＢ対（Ｐｈｙｓｉｃａｌ  Ｒｅｓｏｕｒｃｅ  Ｂｌｏｃｋ  Ｐａｉｒ）の個数、ＥＰＤＣＣＨ送信種類情報のうち少なくとも一つにしたがって決定される、請求項１に記載の下りリンク制御情報検出方法。
【請求項３】
前記第１集約レベル集合の最小集約レベルは、前記第２集約レベル集合の最小集約レベルよりも高い、請求項１に記載の下りリンク制御情報検出方法。
【請求項４】
前記第１集約レベル集合の最小集約レベルは、前記第２集約レベル集合の最小集約レベルの２倍の数である、請求項３に記載の下りリンク制御情報検出方法。
【請求項５】
前記第１集約レベル集合及び前記第２集約レベル集合は、｛１，２，４，８、１６，３２｝で構成された集約レベル集合から選択された少なくとも一つの集約レベルの組合せでそれぞれ構成される、請求項３に記載の下りリンク制御情報検出方法。
【請求項６】
前記第１集約レベル集合の個数と前記第２集約レベル集合の個数とが同一である、請求項３に記載の下りリンク制御情報検出方法。
【請求項７】
前記集約レベル集合は、前記集約レベル集合の最小集約レベルに対する前記ＥＰＤＣＣＨ候補の数の一部が、前記集約レベル集合の残りの集約レベルに対する前記ＥＰＤＣＣＨ候補の数に再度割り当てられるように定義される、請求項１に記載の下りリンク制御情報検出方法。
【発明の詳細な説明】
【技術分野】
【０００１】
本発明は、無線通信システムに関し、特に、無線通信システムにおいて端末が下りリンク制御チャネルを受信する方法及びそのための装置に関する。
【背景技術】
【０００２】
本発明を適用し得る無線通信システムの一例として、３ＧＰＰ  ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ；以下、「ＬＴＥ」という。）通信システムについて概略的に説明する。
【０００３】
図１は、無線通信システムの一例としてＥ−ＵＭＴＳネットワーク構造を概略的に示す図である。Ｅ−ＵＭＴＳ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、既存のＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）から進展したシステムであり、現在３ＧＰＰで基礎的な標準化作業が進行中である。一般に、Ｅ−ＵＭＴＳをＬＴＥ（Ｌｏｎｇ  Ｔｅｒｍ  Ｅｖｏｌｕｔｉｏｎ）システムと呼ぶこともできる。ＵＭＴＳ及びＥ−ＵＭＴＳの技術規格（ｔｅｃｈｎｉｃａｌ  ｓｐｅｃｉｆｉｃａｔｉｏｎ）の詳細な内容についてはそれぞれ、「３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ」のＲｅｌｅａｓｅ  ７及びＲｅｌｅａｓｅ  ８を参照することができる。
【０００４】
図１を参照すると、Ｅ−ＵＭＴＳは、端末（Ｕｓｅｒ  Ｅｑｕｉｐｍｅｎｔ；ＵＥ）、基地局（ｅＮｏｄｅＢ；ｅＮＢ）、及びネットワーク（Ｅ−ＵＴＲＡＮ）の終端に位置して外部ネットワークに接続するアクセスゲートウェイ（Ａｃｃｅｓｓ  Ｇａｔｅｗａｙ；ＡＧ）を含んでいる。基地局は、ブロードキャストサービス、マルチキャストサービス及び／又はユニキャストサービスのために多重データストリームを同時に送信することができる。
【０００５】
一つの基地局には一つ以上のセルが存在する。セルは、１．４４、３、５、１０、１５、２０ＭＨｚなどの帯域幅のいずれか一つに設定され、複数の端末に対して下り又は上り送信サービスを提供する。異なったセルは互いに異なった帯域幅を提供するように設定することができる。基地局は、複数の端末に関するデータ送受信を制御する。下りリンク（Ｄｏｗｎｌｉｎｋ；ＤＬ）データについて、基地局は下りリンクスケジューリング情報を送信し、該当の端末にデータが送信される時間／周波数領域、符号化、データサイズ、ＨＡＲＱ（Ｈｙｂｒｉｄ  Ａｕｔｏｍａｔｉｃ  Ｒｅｐｅａｔ  ａｎｄ  ｒｅＱｕｅｓｔ）関連情報などを知らせる。また、上りリンク（Ｕｐｌｉｎｋ；ＵＬ）データについて、基地局は上りリンクスケジューリング情報を該当の端末に送信し、該当の端末が使用可能な時間／周波数領域、符号化、データサイズ、ＨＡＲＱ関連情報などを知らせる。基地局同士の間には、ユーザトラフィック又は制御トラフィックの送信のためのインターフェースを用いることができる。コアネットワーク（Ｃｏｒｅ  Ｎｅｔｗｏｒｋ；ＣＮ）は、ＡＧ、及び端末のユーザ登録などのためのネットワークノードなどで構成することができる。ＡＧは、複数のセルで構成されるＴＡ（Ｔｒａｃｋｉｎｇ  Ａｒｅａ）単位に端末の移動性を管理する。
【０００６】
無線通信技術は、ＷＣＤＭＡに基づいてＬＴＥにまで開発されてきたが、ユーザと事業者の要求と期待は増す一方である。その上、他の無線接続技術の開発が続いており、将来、競争力を持つためには新しい技術進化が要求される。ビット当たりのコストの削減、サービスの利用可能性の増大、柔軟な周波数バンドの使用、単純構造と開放型インターフェース、端末の適度な電力消耗などが要求される。
【発明の概要】
【発明が解決しようとする課題】
【０００７】
本発明の目的は無線通信システムにおいて端末が下りリンク制御チャネルを受信する方法及びそのための装置を提供することにある。
【０００８】
本発明で達成しようとする技術的課題は、上記の技術的課題に制限されず、言及していない他の技術的課題は、以下の記載から、本発明の属する技術の分野における通常の知識を有する者にとっては明らかになるであろう。
【課題を解決するための手段】
【０００９】
上述した問題点を解決するための本発明の一態様である、無線通信システムにおいて端末が下りリンク制御情報を検出する方法は、エンハンスト物理下りリンク制御チャネル（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ、ＥＰＤＣＣＨ）をモニタするための集約レベル関連情報を受信するステップと、前記ＥＰＤＣＣＨのための検索領域を特定集約レベル（Ａｇｇｒｅｇａｔｉｏｎ  Ｌｅｖｅｌ）によってモニタして下りリンク制御情報を検出するステップと、を含み、前記特定集約レベルは、前記集約レベル関連情報によって、前記下りリンク制御情報を検出するためのＥＰＤＣＣＨ候補個数が異なるように定義されることを特徴とする。
【００１０】
なお、前記集約レベル関連情報は、ＤＣＩフォーマット（Ｄｏｗｎｌｉｎｋ  Ｃｏｎｔｒｏｌ  Ｉｎｆｏｒｍａｔｉｏｎ  ｆｏｒｍａｔ）種類、システム帯域幅、ＥＰＤＣＣＨ送信に利用可能なリソース要素（Ｒｅｓｏｕｒｃｅ  Ｅｌｅｍｅｎｔ、ＲＥ）の個数、ＥＰＤＣＣＨセットを構成するＰＲＢ対（Ｐｈｙｓｉｃａｌ  Ｒｅｓｏｕｒｃｅ  Ｂｌｏｃｋ  Ｐａｉｒ）の個数、ＥＰＤＣＣＨ送信タイプ種類情報のうち少なくとも一つを含むことを特徴とする。
【００１１】
なお、前記ＥＰＤＣＣＨ候補個数は、前記リソース要素（ＲＥ）の個数が臨界値未満である場合に、前記リソース要素の個数が前記臨界値以上である場合に比べて大きく定義されることを特徴とする。
【００１２】
なお、前記リソース要素（ＲＥ）の個数が前記臨界値未満である場合に定義される前記ＥＰＤＣＣＨ候補個数は、前記リソース要素の個数が前記臨界値以上である場合に定義されるＥＰＤＣＣＨ候補個数の２倍の数と定義されることを特徴とする。
【００１３】
前記特定集約レベルは、前記集約レベル関連情報によって定義される第１集約レベルと第２集約レベルのうち一つに対応し、前記第１集約レベルのうち最小集約レベルは、前記第２集約レベルのうち最小集約レベルよりも高いことを特徴とする。
【００１４】
なお、前記第１集約レベルのうち最小集約レベルは、前記第２集約レベルのうち最小集約レベルの２倍の数であることを特徴とする。
【００１５】
なお、前記第１集約レベル及び前記第２集約レベルはそれぞれ、｛１，２，４，８、１６，３２｝で構成された集約レベルから、順次に選択された少なくとも一つの集約レベルの組合せで構成されることを特徴とする。
【００１６】
なお、前記第１集約レベルの個数と前記第２集約レベルの個数とが同一であることを特徴とする。
【００１７】
なお、前記特定集約レベルは、前記集約レベル関連情報によって定義される第３集約レベルのうち一つに対応し、前記第３集約レベルによって定義されるＥＰＤＣＣＨ候補個数は、前記第３集約レベルのうち最小値を有する集約レベルに対するＥＰＤＣＣＨ候補個数の一部が、前記第３集約レベルの残り集約レベルに対して再割当されたことを特徴とする。
【００１８】
なお、前記特定集約レベルは、前記ＥＰＤＣＣＨに対して複数のリソース単位が割り当てられる場合、前記集約レベル関連情報によって、前記それぞれのリソース単位に対して前記下りリンク制御情報を検出するためのＥＰＤＣＣＨ候補個数が独立して定義されることを特徴とする。
【００１９】
上述した問題点を解決するための本発明の他の態様である、無線通信システムにおいて端末が下りリンク制御情報を検出する方法は、複数のサブフレームパターン（Ｓｕｂｆｒａｍｅ  Ｐａｔｔｅｒｎ）に関する情報を受信するステップと、前記複数のサブフレームパターンによって、物理下りリンク制御チャネル（Ｐｈｙｓｉｃａｌ  Ｄｏｗｎｌｉｎｋ  Ｃｏｎｔｒｏｌ  ＣＨａｎｎｅｌ、ＰＤＣＣＨ）及びエンハンスト物理下りリンク制御チャネル（Ｅｎｈａｎｃｅｄ  Ｐｈｙｓｉｃａｌ  Ｄｏｗｎｌｉｎｋ  Ｃｏｎｔｒｏｌ  ＣＨａｎｎｅｌ、ＥＰＤＣＣＨ）のうち一つを介して前記下りリンク制御情報を検出するステップと、を含み、前記複数のサブフレームパターンは、前記物理下りリンク制御チャネル（ＰＤＣＣＨ）を検出するためのサブフレームを示すことを特徴とする。
【００２０】
なお、前記複数のサブフレームパターンは、ビットマップ（ｂｉｔｍａｐ）、所定の周期、オフセット（ｏｆｆｓｅｔ）のうち少なくとも一つを用いて、前記下りリンク制御チャネル（ＰＤＣＣＨ）を介して下りリンク制御情報を検出するためのサブフレームを示すことを特徴とする。
【００２１】
上述した問題点を解決するための本発明の更に他の態様である、無線通信システムにおいて端末が下りリンク制御情報を検出する方法は、エンハンスト物理下りリンク制御チャネル（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ、ＥＰＤＣＣＨ）をモニタするための検索領域（Ｓｅａｒｃｈ  Ｓｐａｃｅ）を構成するステップと、前記検索領域を前記端末に設定された集約レベルによってモニタして下りリンク制御情報を検出するステップと、を含み、前記集約レベルのそれぞれは、前記検索領域のためのリソース単位の個数に基づいて決定されたＥＰＤＣＣＨ候補（ＥＰＤＣＣＨ  ｃａｎｄｉｄａｔｅ）個数を定義することを特徴とする。
【００２２】
なお、前記ＥＰＤＣＣＨ候補個数は、前記集約レベルのうち対応する集約レベルに対して設定された重み付け変数が適用されることを特徴とする。
【００２３】
上述した問題点を解決するための本発明の更に他の態様である、無線通信システムにおいて端末が下りリンク制御情報を検出する方法は、エンハンスト物理下りリンク制御チャネル（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ、ＥＰＤＣＣＨ）をモニタするための検索領域（Ｓｅａｒｃｈ  Ｓｐａｃｅ）を構成するステップと、前記検索領域を前記端末に設定された集約レベルによってモニタして下りリンク制御情報を検出するステップと、を含み、前記集約レベルのそれぞれは、前記下りリンク制御情報に関連したＥＰＤＣＣＨ集合（ＥＰＤＣＣＨ  ｓｅｔ）に対する重み付け値が適用されたＥＰＤＣＣＨ候補（ＥＰＤＣＣＨ  ｃａｎｄｉｄａｔｅ）個数を定義することを特徴とする。
【発明の効果】
【００２４】
本発明によれば、無線通信システムにおいて端末の下りリンク制御情報を效果的に検出することができる。
【００２５】
本発明から得られる効果は、以上に言及した効果に制限されず、言及していない他の効果は、以下の記載から、本発明の属する技術の分野における通常の知識を有する者には明確に理解されるであろう。
【図面の簡単な説明】
【００２６】
【図１】無線通信システムの一例としてＥ−ＵＭＴＳネットワーク構造を示す図である。
【図２】３ＧＰＰ無線接続網規格に基づく端末とＥ−ＵＴＲＡＮ間の無線インターフェースプロトコル（Ｒａｄｉｏ  Ｉｎｔｅｒｆａｃｅ  Ｐｒｏｔｏｃｏｌ）のコントロールプレーン（Ｃｏｎｔｒｏｌ  Ｐｌａｎｅ）及びユーザプレーン（Ｕｓｅｒ  Ｐｌａｎｅ）構造を示す図である。
【図３】３ＧＰＰＬＴＥシステムに用いられる物理チャネル及びこれらを用いた一般的な信号送信方法を示す図である。
【図４】ＬＴＥシステムで用いられる無線フレームの構造を示す図である。
【図５】下りリンクスロットのリソースグリッド（ｒｅｓｏｕｒｃｅ  ｇｒｉｄ）を示す図である。
【図６】下りリンクサブフレームの構造を例示する図である。
【図７】ＬＴＥシステムにおいて下りリンク制御チャネルを構成するために用いるリソース単位を示す図である。
【図８】ＥＰＤＣＣＨ、及びＥＰＤＣＣＨによってスケジューリングされるＰＤＳＣＨを例示する図である。
【図９】本発明の一実施例に係るＥＰＤＣＣＨ候補個数を決定する方法を示す図である。
【図１０】本発明の一実施例に係るＥＰＤＣＣＨ候補をモニタする方法を示す図である。
【図１１】本発明の実施例に適用し得る基地局及びユーザ機器を例示する図である。
【発明を実施するための形態】
【００２７】
本発明に関する理解を助けるために詳細な説明の一部として含まれる添付の図面は、本発明に関する実施例を提供し、詳細な説明と共に本発明の技術的思想を説明する。
以下の技術は、ＣＤＭＡ（Ｃｏｄｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）などのような種々の無線接続システムに用いることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）によって実現することができる。ＴＤＭＡは、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術によって実現することができる。ＯＦＤＭＡは、ＩＥＥＥ ８０２．１１（Ｗｉ−Ｆｉ）、ＩＥＥＥ ８０２．１６（ＷｉＭＡＸ）、ＩＥＥＥ ８０２−２０、Ｅ−ＵＴＲＡ（Ｅｖｏｌｖｅｄ  ＵＴＲＡ）などのような無線技術によって実現することができる。ＵＴＲＡはＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（ｌｏｎｇ  ｔｅｒｍ  ｅｖｏｌｕｔｉｏｎ）は、Ｅ−ＵＴＲＡを用いるＥ−ＵＭＴＳ（Ｅｖｏｌｖｅｄ  ＵＭＴＳ）の一部であり、下りリンクでＯＦＤＭＡを採用し、上りリンクでＳＣ−ＦＤＭＡを採用する。ＬＴＥ−Ａ（Ａｄｖａｎｃｅｄ）は３ＧＰＰ ＬＴＥの進展したバージョンである。
【００２８】
説明を明確にするために、３ＧＰＰ ＬＴＥ／ＬＴＥ−Ａを中心に記述するが、本発明の技術的特徴がこれに制限されるわけではない。以下の説明で使われる特定用語は、本発明の理解を助けるために提供されるものであり、このような特定用語の使用は、本発明の技術的思想から逸脱しない範囲で他の形態に変更されてよい。
【００２９】
図２は、３ＧＰＰ無線接続網規格に基づく端末とＥ−ＵＴＲＡＮとの間の無線インターフェースプロトコル（Ｒａｄｉｏ  Ｉｎｔｅｒｆａｃｅ  Ｐｒｏｔｏｃｏｌ）のコントロールプレーン及びユーザプレーンの構造を示す図である。コントロールプレーンとは、端末（ＵＥ）とネットワークとが呼を管理するために用いる制御メッセージが送信される通路のことを意味する。ユーザプレーンとは、アプリケーション層で生成されたデータ、例えば、音声データ又はインターネットパケットデータなどが送信される通路のことを意味する。
【００３０】
第１層である物理層は、物理チャネル（Ｐｈｙｓｉｃａｌ  Ｃｈａｎｎｅｌ）を用いて上位層に情報伝送サービス（Ｉｎｆｏｒｍａｔｉｏｎ  Ｔｒａｎｓｆｅｒ  Ｓｅｒｖｉｃｅ）を提供する。物理層は、上位の媒体接続制御（Ｍｅｄｉｕｍ  Ａｃｃｅｓｓ  Ｃｏｎｔｒｏｌ）層とは伝送チャネル（Ｔｒａｎｓｐｏｒｔ  Ｃｈａｎｎｅｌ）を介して接続されている。該伝送チャネルを介して媒体接続制御層と物理層との間にデータが移動する。送信側の物理層と受信側の物理層との間には物理チャネルを介してデータが移動する。該物理チャネルは、時間及び周波数を無線リソースとして活用する。具体的に、物理チャネルは、下りリンクにおいてＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式で変調され、上りリンクにおいてＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式で変調される。
【００３１】
第２層の媒体接続制御（Ｍｅｄｉｕｍ  Ａｃｃｅｓｓ  Ｃｏｎｔｒｏｌ；ＭＡＣ）層は、論理チャネル（Ｌｏｇｉｃａｌ  Ｃｈａｎｎｅｌ）を介して、上位層である無線リンク制御（Ｒａｄｉｏ  Ｌｉｎｋ  Ｃｏｎｔｒｏｌ；ＲＬＣ）層にサービスを提供する。第２層のＲＬＣ層は、信頼できるデータ送信を支援する。ＲＬＣ層の機能はＭＡＣ内部の機能ブロックとして具現されてもよい。第２層のＰＤＣＰ（Ｐａｃｋｅｔ  Ｄａｔａ  Ｃｏｎｖｅｒｇｅｎｃｅ  Ｐｒｏｔｏｃｏｌ）層は、帯域幅の狭い無線インターフェースでＩＰｖ４やＩＰｖ６のようなＩＰパケットを効率的に送信するために、余分の制御情報を減らすヘッダー圧縮（Ｈｅａｄｅｒ  Ｃｏｍｐｒｅｓｓｉｏｎ）機能を果たす。
【００３２】
第３層の最下部に位置する無線リソース制御（Ｒａｄｉｏ  Ｒｅｓｏｕｒｃｅ  Ｃｏｎｔｒｏｌ；ＲＲＣ）層は、コントロールプレーンにのみ定義される。ＲＲＣ層は、無線ベアラー（Ｒａｄｉｏ  Ｂｅａｒｅｒ）の設定（Ｃｏｎｆｉｇｕｒａｔｉｏｎ）、再設定（Ｒｅ−ｃｏｎｆｉｇｕｒａｔｉｏｎ）及び解除（Ｒｅｌｅａｓｅ）に関連して、論理チャネル、伝送チャネル及び物理チャネルの制御を担当する。無線ベアラー（ＲＢ）とは、端末とネットワーク間のデータ伝達のために第２層によって提供されるサービスのことを意味する。そのために、端末のＲＲＣ層とネットワークのＲＲＣ層とはＲＲＣメッセージを互いに交換する。端末のＲＲＣ層とネットワークのＲＲＣ層間にＲＲＣ接続（ＲＲＣ  Ｃｏｎｎｅｃｔｅｄ）がある場合に、端末はＲＲＣ接続状態（Ｃｏｎｎｅｃｔｅｄ  Ｍｏｄｅ）にあり、そうでない場合は、ＲＲＣ休止状態（Ｉｄｌｅ  Ｍｏｄｅ）にある。ＲＲＣ層の上位にあるＮＡＳ（Ｎｏｎ−Ａｃｃｅｓｓ  Ｓｔｒａｔｕｍ）層は、セッション管理（Ｓｅｓｓｉｏｎ  Ｍａｎａｇｅｍｅｎｔ）と移動性管理（Ｍｏｂｉｌｉｔｙ  Ｍａｎａｇｅｍｅｎｔ）などの機能を果たす。
【００３３】
基地局（ｅＮＢ）を構成する一つのセルは、１．４、３、５、１０、１５、２０ＭＨｚなどの帯域幅のいずれか一つに設定され、複数の端末に下り又は上り送信サービスを提供する。異なったセルは互いに異なった帯域幅を提供するように設定することができる。
【００３４】
ネットワークから端末にデータを送信する下り伝送チャネルとしては、システム情報を送信するＢＣＨ（Ｂｒｏａｄｃａｓｔ  Ｃｈａｎｎｅｌ）、ページングメッセージを送信するＰＣＨ（Ｐａｇｉｎｇ  Ｃｈａｎｎｅｌ）、ユーザトラフィックや制御メッセージを送信する下りＳＣＨ（Ｓｈａｒｅｄ  Ｃｈａｎｎｅｌ）などがある。下りマルチキャスト又は放送サービスのトラフィック又は制御メッセージは、下りＳＣＨを介して送信されてもよく、別の下りＭＣＨ（Ｍｕｌｔｉｃａｓｔ  Ｃｈａｎｎｅｌ）を介して送信されてもよい。一方、端末からネットワークにデータを送信する上り伝送チャネルとしては、初期制御メッセージを送信するＲＡＣＨ（Ｒａｎｄｏｍ  Ａｃｃｅｓｓ  Ｃｈａｎｎｅｌ）、ユーザトラフィックや制御メッセージを送信する上りＳＣＨ（Ｓｈａｒｅｄ  Ｃｈａｎｎｅｌ）がある。伝送チャネルの上位に存在し、伝送チャネルにマップされる論理チャネル（Ｌｏｇｉｃａｌ  Ｃｈａｎｎｅｌ）としては、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）などがある。
【００３５】
図３は、３ＧＰＰシステムに用いられる物理チャネル及びこれらのチャネルを用いた一般の信号送信方法を説明するための図である。
【００３６】
電源が消えた状態で再び電源がついたり、新しくセルに進入したりしたユーザ機器は、段階Ｓ３０１において、基地局と同期を取る等の初期セル探索（Ｉｎｉｔｉａｌ  ｃｅｌｌ  ｓｅａｒｃｈ）作業を行う。このために、ユーザ機器は基地局からプライマリ同期チャネル（Ｐ−ＳＣＨ：Ｐｒｉｍａｒｙ  Ｓｙｎｃｈｒｏｎｉｚａｔｉｏｎ  Ｃｈａｎｎｅｌ）及びセカンダリ同期チャネル（Ｓ−ＳＣＨ：Ｓｅｃｏｎｄａｒｙ  Ｓｙｎｃｈｒｏｎｉｚａｔｉｏｎ  Ｃｈａｎｎｅｌ）を受信して基地局と同期を取り、セルＩＤなどの情報を取得する。その後、ユーザ機器は、基地局から物理放送チャネル（Ｐｈｙｓｉｃａｌ  Ｂｒｏａｄｃａｓｔ  Ｃｈａｎｎｅｌ）を受信してセル内の放送情報を取得することができる。一方、ユーザ機器は、初期セル探索段階において下りリンク参照信号（Ｄｏｗｎｌｉｎｋ  Ｒｅｆｅｒｅｎｃｅ  Ｓｉｇｎａｌ：ＤＬ ＲＳ）を受信し、下りリンクチャネル状態を確認することができる。
【００３７】
初期セル探索を終えたユーザ機器は、段階Ｓ３０２において、物理下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）及び該物理下りリンク制御チャネル情報に対応する物理下りリンク共有チャネル（ＰＤＳＣＨ：Ｐｈｙｓｉｃａｌ  Ｄｏｗｎｌｉｎｋ  Ｃｏｎｔｒｏｌ  Ｃｈａｎｎｅｌ）を受信し、より具体的なシステム情報を取得することができる。
【００３８】
その後、ユーザ機器は基地局への接続を完了するために、段階Ｓ３０３乃至段階Ｓ３０６のようなランダムアクセス手順（Ｒａｎｄｏｍ  Ａｃｃｅｓｓ  Ｐｒｏｃｅｄｕｒｅ）を行うことができる。そのために、ユーザ機器は、物理ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）を介してプリアンブルを送信し（Ｓ３０３）、物理下りリンク制御チャネル及びこれに対応する物理下りリンク共有チャネルを介して、プリアンブルに対する応答メッセージを受信することができる（Ｓ３０４）。競合ベースランダムアクセスの場合は、追加の物理ランダムアクセスチャネルの送信（Ｓ３０５）、及び物理下りリンク制御チャネル及びこれに対応する物理下りリンク共有チャネルの受信（Ｓ３０６）のような衝突解決手順（Ｃｏｎｔｅｎｔｉｏｎ  Ｒｅｓｏｌｕｔｉｏｎ  Ｐｒｏｃｅｄｕｒｅ）を行うことができる。
【００３９】
以上の手順を行ったユーザ機器は、以降、一般的な上りリンク／下りリンク信号送信手順として、物理下りリンク制御チャネル／物理下りリンク共有チャネルの受信（Ｓ３０７）及び物理上りリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）／物理上りリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）の送信（Ｓ３０８）を行うことができる。ユーザ機器が基地局に送信する制御情報を総称して上りリンク制御情報（Ｕｐｌｉｎｋ  Ｃｏｎｔｒｏｌ  Ｉｎｆｏｒｍａｔｉｏｎ：ＵＣＩ）とする。ＵＣＩは、ＨＡＲＱ ＡＣＫ／ＮＡＣＫ（Ｈｙｂｒｉｄ  Ａｕｔｏｍａｔｉｃ  Ｒｅｐｅａｔ  ａｎｄ  ｒｅＱｕｅｓｔ  Ａｃｋｎｏｗｌｅｄｇｅｍｅｎｔ／Ｎｅｇａｔｉｖｅ−ＡＣＫ）、ＳＲ（Ｓｃｈｅｄｕｌｉｎｇ  Ｒｅｑｕｅｓｔ）、ＣＳＩ（Ｃｈａｎｎｅｌ  Ｓｔａｔｅ  Ｉｎｆｏｒｍａｑｔｉｏｎ）などを含む。本明細書で、ＨＡＲＱＡＣＫ／ＮＡＣＫは、簡単に、ＨＡＲＱ−ＡＣＫ或いはＡＣＫ／ＮＡＣＫ（Ａ／Ｎ）と呼ばれる。ＨＡＲＱ−ＡＣＫはポジティブＡＣＫ（簡単に、ＡＣＫ）、ネガティブＡＣＫ（ＮＡＣＫ）、ＤＴＸ及びＮＡＣＫ／ＤＴＸのうち少なくとも一つを含む。ＣＳＩは、ＣＱＩ（Ｃｈａｎｎｅｌ  Ｑｕａｌｉｔｙ  Ｉｎｄｉｃａｔｉｏｎ）、ＰＭＩ（Ｐｒｅｃｏｄｉｎｇ  Ｍａｔｒｉｘ  Ｉｎｄｉｃａｔｉｏｎ）、ＲＩ（Ｒａｎｋ  Ｉｎｄｉｃａｔｉｏｎ）などを含む。ＵＣＩは一般にＰＵＣＣＨを介して送信されるが、制御情報とトラフィックデータが同時に送信されるべき場合は、ＰＵＳＣＨを介して送信されてもよい。また、ネットワークの要求／指示によってＰＵＳＣＨを介してＵＣＩを非周期的に送信することもできる。
【００４０】
図４は、ＬＴＥシステムで用いられる無線フレームの構造を例示する図である。
【００４１】
図４を参照すると、セルラーＯＦＤＭ無線パケット通信システムにおいて、上り／下りリンクデータパケット送信はサブフレーム（ｓｕｂｆｒａｍｅ）単位で行われ、１サブフレームは複数のＯＦＤＭシンボルを含む一定の時間区間と定義される。３ＧＰＰ ＬＴＥ標準では、ＦＤＤ（Ｆｒｅｑｕｅｎｃｙ  Ｄｉｖｉｓｉｏｎ  Ｄｕｐｌｅｘ）に適用可能なタイプ１の無線フレーム（ｒａｄｉｏ  ｆｒａｍｅ）構造と、ＴＤＤ（Ｔｉｍｅ  Ｄｉｖｉｓｉｏｎ  Ｄｕｐｌｅｘ）に適用可能なタイプ２の無線フレーム構造を支援する。
【００４２】
図４（ａ）は、タイプ１の無線フレーム構造を示す図である。下りリンク無線フレーム（ｒａｄｉｏ  ｆｒａｍｅ）は、１０個のサブフレーム（ｓｕｂｆｒａｍｅ）で構成され、１個のサブフレームは時間領域（ｔｉｍｅ  ｄｏｍａｉｎ）において２個のスロット（ｓｌｏｔ）で構成される。１サブフレームを送信するために掛かる時間をＴＴＩ（ｔｒａｎｓｍｉｓｓｉｏｎ  ｔｉｍｅ  ｉｎｔｅｒｖａｌ）という。例えば、１サブフレームの長さは１ｍｓで、１スロットの長さは０．５ｍｓであってもよい。１スロットは時間領域において複数のＯＦＤＭシンボルを含み、周波数領域において複数のリソースブロック（Ｒｅｓｏｕｒｃｅ  Ｂｌｏｃｋ；ＲＢ）を含む。３ＧＰＰ ＬＴＥシステムでは下りリンクにおいてＯＦＤＭＡを用いるため、ＯＦＤＭシンボルが１つのシンボル区間を表す。ＯＦＤＭシンボルは、ＳＣ−ＦＤＭＡシンボル又はシンボル区間と呼ぶこともできる。リソース割当単位としてのリソースブロック（ＲＢ）は、１スロットにおいて複数個の連続した副搬送波（ｓｕｂｃａｒｒｉｅｒ）を含むことができる。
【００４３】
１スロットに含まれるＯＦＤＭシンボルの数は、ＣＰ（Ｃｙｃｌｉｃ  Ｐｒｅｆｉｘ）の構成（ｃｏｎｆｉｇｕｒａｔｉｏｎ）によって異なることがある。ＣＰには、拡張ＣＰ（ｅｘｔｅｎｄｅｄ  ＣＰ）と標準ＣＰ（ｎｏｒｍａｌ  ＣＰ）がある。例えば、ＯＦＤＭシンボルが標準ＣＰによって構成された場合、１スロットに含まれるＯＦＤＭシンボルの数は７個であってもよい。ＯＦＤＭシンボルが拡張ＣＰによって構成された場合、１ ＯＦＤＭシンボルの長さが増えるため、１スロットに含まれるＯＦＤＭシンボルの数は標準ＣＰの場合に比べて少ない。拡張ＣＰの場合に、例えば、１スロットに含まれるＯＦＤＭシンボルの数は６個であってもよい。ユーザ機器が高速で移動するなどの場合のようにチャネル状態が安定していない場合、シンボル間干渉をより減らすために拡張ＣＰを用いることができる。
【００４４】
標準ＣＰが用いられる場合、１個のスロットは７個のＯＦＤＭシンボルを含むため、１個のサブフレームは１４個ＯＦＤＭシンボルを含む。このとき、各サブフレームの先頭における最大３個のＯＦＤＭシンボルは、ＰＤＣＣＨに割り当てられ、残りのＯＦＤＭシンボルＰＤＳＣＨに割り当てられてもよい。
【００４５】
図４（ｂ）は、タイプ２の無線フレーム構造を示す図である。タイプ２の無線フレームは、２個のハーフフレーム（ｈａｌｆ  ｆｒａｍｅ）で構成され、各ハーフフレームは、２個のスロットを含む４個の一般サブフレームと、ＤｗＰＴＳ（Ｄｏｗｎｌｉｎｋ  Ｐｉｌｏｔ  Ｔｉｍｅ  Ｓｌｏｔ）、保護区間（Ｇｕａｒｄ  Ｐｅｒｉｏｄ；ＧＰ）及びＵｐＰＴＳ（Ｕｐｌｉｎｋ  Ｐｉｌｏｔ  Ｔｉｍｅ  Ｓｌｏｔ）を含む特別サブフレーム（ｓｐｅｃｉａｌ  ｓｕｂｆｒａｍｅ）とで構成される。
【００４６】
上記の特別サブフレームにおいて、ＤｗＰＴＳは、ユーザ機器での初期セル探索、同期化又はチャネル推定に用いられ、ＵｐＰＴＳは、基地局でのチャネル推定及びユーザ機器の上りリンク送信同期の取得に用いられる。すなわち、ＤｗＰＴＳは下りリンク送信に、ＵｐＰＴＳは上りリンク送信に用いられ、特に、ＵｐＰＴＳはＰＲＡＣＨプリアンブルやＳＲＳの送信のために用いられる。また、保護区間は、上りリンクと下りリンクとの間に下りリンク信号の多重経路遅延によって上りリンクで生じる干渉を除去するための区間である。
【００４７】
【数１】
0006336981.tif 000002
【００４８】
【表１】
0006336981.tif 000003
【００４９】
一方、タイプ２の無線フレーム構造、すなわち、ＴＤＤシステムにおいて上りリンク／下りリンクサブフレーム設定（ＵＬ／ＤＬ  ｃｏｎｆｉｇｕｒａｔｉｏｎ）は、下の表２の通りである。
【００５０】
【表２】
0006336981.tif 000004
【００５１】
上記の表２で、Ｄは下りリンクサブフレーム、Ｕは上りリンクサブフレームを表し、Ｓは特別サブフレームを表す。また、上記の表２は、それぞれのシステムにおいて上りリンク／下りリンクサブフレーム設定における下りリンク−上りリンクスイッチング周期も示している。
【００５２】
上述した無線フレームの構造は例示に過ぎず、無線フレームに含まれるサブフレームの数、サブフレームに含まれるスロットの数、又はスロットに含まれるシンボルの数は様々に変更されてもよい。
図５は、下りリンクスロットにおけるリソースグリッド（ｒｅｓｏｕｒｃｅ  ｇｒｉｄ）を例示する図である。
【００５３】
【数２】
0006336981.tif 000005
【００５４】
【数３】
0006336981.tif 000006
【００５５】
図６は、下りリンクサブフレームの構造を示す図である。
【００５６】
図６を参照すると、サブフレームにおいて一番目のスロットの先頭における最大３（４）個のＯＦＤＭシンボルは、制御チャネルが割り当てられる制御領域に該当する。残りのＯＦＤＭシンボルは、ＰＤＳＣＨが割り当てられるデータ領域に該当する。ＬＴＥシステムで用いられる下り制御チャネルには、例えば、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＨＩＣＨ（Ｐｈｙｓｉｃａｌ  Ｈｙｂｒｉｄ  ａｕｔｏｍａｔｉｃ  ｒｅｐｅａｔ  ｒｅｑｕｅｓｔ  Ｉｎｄｉｃａｔｏｒ  Ｃｈａｎｅｌ）などがある。ＰＣＦＩＣＨは、サブフレームの最初のＯＦＤＭシンボルで送信され、サブフレーム内の制御チャネルの送信に使われるＯＦＤＭシンボルの個数に関する情報を運ぶ。ＰＨＩＣＨは、上り送信の応答としてＨＡＲＱ ＡＣＫ／ＮＡＣＫ信号を運ぶ。
【００５７】
ＰＤＣＣＨで送信される制御情報を、ＤＣＩ（Ｄｏｗｎｌｉｎｋ  Ｃｏｎｔｒｏｌ  Ｉｎｆｏｒｍａｔｉｏｎ）という。ＤＣＩは、ユーザ機器又はユーザ機器グループのためのリソース割当情報及び他の制御情報を含む。例えばＤＣＩは、上り／下りリンクスケジューリング情報、上り送信（Ｔｘ）電力制御命令などを含む。
【００５８】
ＰＤＣＣＨは、下り共有チャネル（ＤＬ−ＳＣＨ）の送信フォーマット及びリソース割当、上り共有チャネル（ＵＬ−ＳＣＨ）の送信フォーマット及びリソース割当情報、ページングチャネル（ＰＣＨ）上のページング情報、ＤＬ−ＳＣＨ上のシステム情報、ＰＤＳＣＨ上で送信されるランダムアクセス応答のような上位層制御メッセージのリソース割当情報、ユーザ機器グループ内の個別ユーザ機器に対する送信電力制御命令のセット、送信電力制御命令、ＶｏＩＰ（Ｖｏｉｃｅ  ｏｖｅｒ  ＩＰ）の活性化指示情報などを運ぶ。複数のＰＤＣＣＨが制御領域内で送信され、ユーザ機器は複数のＰＤＣＣＨをモニタすることもできる。ＰＤＣＣＨは一つ又は複数の連続した制御チャネル要素（Ｃｏｎｔｒｏｌ  Ｃｈａｎｎｅｌ  Ｅｌｅｍｅｎｔ：ＣＣＥ）の集合（ａｇｇｒｅｇａｔｉｏｎ）上で送信される。ＣＣＥは、ＰＤＣＣＨに無線チャネル状態に基づくコーディングレートを提供するために用いられる論理的割当ユニットである。ＣＣＥは、複数のリソース要素グループ（ｒｅｓｏｕｒｃｅ  ｅｌｅｍｅｎｔ  ｇｒｏｕｐ：ＲＥＧ）に対応する。ＰＤＣＣＨのフォーマット及びＰＤＣＣＨビットの個数は、ＣＣＥの個数によって決定される。基地局は、ユーザ機器に送信されるＤＣＩによってＰＤＣＣＨフォーマットを決定し、制御情報にＣＲＣ（Ｃｙｃｌｉｃ  Ｒｅｄｕｎｄａｎｃｙ  Ｃｈｅｃｋ）を付加する。ＣＲＣは、ＰＤＣＣＨの所有者又は使用目的によって識別子（例えば、ＲＮＴＩ（Ｒａｄｉｏ  Ｎｅｔｗｏｒｋ  Ｔｅｍｐｏｒａｒｙ  Ｉｄｅｎｔｉｆｉｅｒ））でマスクされる。例えば、ＰＤＣＣＨが特定ユーザ機器のためのものであれば、当該ユーザ機器の識別子（例えば、ｃｅｌｌ−ＲＮＴＩ（Ｃ−ＲＮＴＩ））をＣＲＣにマスクすることができる。ＰＤＣＣＨがページングメッセージのためのものであれば、ページング識別子（例えば、ｐａｇｉｎｇ−ＲＮＴＩ；Ｐ−ＲＮＴＩ）をＣＲＣにマスクすることができる。ＰＤＣＣＨがシステム情報（より具体的に、システム情報ブロック（Ｓｙｓｔｅｍ  Ｉｎｆｏｒｍａｔｉｏｎ  Ｂｌｏｃｋ：ＳＩＢ））のためのものであれば、ＳＩ−ＲＮＴＩ（Ｓｙｓｔｅｍ  Ｉｎｆｏｒｍａｔｉｏｎ  ＲＮＴＩ）をＣＲＣにマスクすることができる。ＰＤＣＣＨがランダムアクセス応答のためのものであれば、ＲＡ−ＲＮＴＩ（Ｒａｎｄｏｍ  Ａｃｃｅｓｓ−ＲＮＴＩ）をＣＲＣにマスクすることができる。
【００５９】
図７は、ＬＴＥシステムにおいて下りリンク制御チャネルを構成するために用いるリソース単位を示す図である。特に、図７の（ａ）は、基地局の送信アンテナが１個又は２個である場合を示し、図７の（ｂ）は、基地局の送信アンテナが４個である場合を示している。両者は、送信アンテナの個数によってＲＳ（Ｒｅｆｅｒｅｎｃｅ  Ｓｉｇｎａｌ）パターンが異なるだけで、制御チャネルに関連したリソース単位の設定方法は同一である。
【００６０】
図７を参照すると、下りリンク制御チャネルの基本リソース単位は、ＲＥＧ（Ｒｅｓｏｕｒｃｅ  Ｅｌｅｍｅｎｔ  Ｇｒｏｕｐ）である。ＲＥＧは、ＲＳを除く状態で４個の隣接したリソース要素（ＲＥ）で構成される。同図で、ＲＥＧは太線で表されている。ＰＣＦＩＣＨ及びＰＨＩＣＨはそれぞれ、４個のＲＥＧ及び３個のＲＥＧを含む。ＰＤＣＣＨは、ＣＣＥ（Ｃｏｎｔｒｏｌ  Ｃｈａｎｎｅｌ  Ｅｌｅｍｅｎｔs）単位で構成され、一つのＣＣＥは９個のＲＥＧを含む。
【００６１】
端末は、自身にＬ個のＣＣＥで構成されたＰＤＣＣＨが送信されるかを確認するために、Ｍ（Ｌ）（≧Ｌ）個の連続しているか又は特定の規則で配置されているＣＣＥを確認するように設定される。端末がＰＤＣＣＨ受信のために考慮すべきＬ値は複数となることもある。端末がＰＤＣＣＨ受信のために確認すべきＣＣＥ集合を検索領域（ｓｅａｒｃｈ  ｓｐａｃｅ）という。一例として、ＬＴＥシステムは検索領域を表３のように定義している。
【００６２】
【表３】
0006336981.tif 000007
【００６３】
ここで、ＣＣＥ集約レベルＬは、ＰＤＣＣＨを構成するＣＣＥの個数を表し、Ｓｋ（Ｌ）は、ＣＣＥ集約レベルＬの検索領域を表し、Ｍ（Ｌ）は、集約レベルＬの検索領域でモニタすべき候補ＰＤＣＣＨの個数を表す。
【００６４】
検索領域は、特定端末のみに対して接近が許容される端末特定検索領域（ＵＥ−ｓｐｅｃｉｆｉｃ  ｓｅａｒｃｈ  ｓｐａｃｅ）と、セル内の全端末に対して接近が許容される共通検索領域（ｃｏｍｍｏｎ  ｓｅａｒｃｈ  ｓｐａｃｅ）とに区別できる。端末は、ＣＣＥ集約レベルが４及び８である共通検索領域をモニタし、ＣＣＥ集約レベルが１、２、４及び８である端末特定検索領域をモニタする。共通検索領域及び端末特定検索領域はオーバーラップすることがある。
【００６５】
また、各ＣＣＥ集約レベル値に対して、任意の端末に与えられるＰＤＣＣＨ検索領域において最初の（最小のインデックスを持つ）ＣＣＥの位置は端末によって毎サブフレームごとに変化する。これを、ＰＤＣＣＨ検索領域ハッシュ（ｈａｓｈｉｎｇ）という。
【００６６】
上記ＣＣＥはシステム帯域に分散されてもよい。より具体的に、論理的に連続した複数のＣＣＥがインターリーバ（ｉｎｔｅｒｌｅａｖｅｒ）に入力されてもよく、該インターリーバは、入力された複数のＣＣＥをＲＥＧ単位で組み替える機能を果たす。したがって、一つのＣＣＥを構成する周波数／時間リソースは、物理的に、サブフレームの制御領域内で全体の周波数／時間領域に散在して分布する。結局、制御チャネルはＣＣＥ単位で構成されるが、インターリービングはＲＥＧ単位で行われることから、周波数ダイバーシティ（ｄｉｖｅｒｓｉｔｙ）と干渉ランダム化（ｉｎｔｅｒｆｅｒｅｎｃｅ  ｒａｎｄｏｍｉｚａｔｉｏｎ）利得を最大化できる。
【００６７】
図８は、ＥＰＤＣＣＨ、及びＥＰＤＣＣＨによってスケジューリングされるＰＤＳＣＨを例示する図である。
【００６８】
図８を参照すると、ＥＰＤＣＣＨは、一般に、データを送信するＰＤＳＣＨ領域の一部分を定義して使用することができ、端末は、自身のＥＰＤＣＣＨの有無を検出するためのブラインドデコーティング（ｂｌｉｎｄ  ｄｅｃｏｄｉｎｇ）過程を行わなければならない。ＥＰＤＣＣＨは既存のＰＤＣＣＨと同一のスケジューリング動作（すなわち、ＰＤＳＣＨ、ＰＵＳＣＨの制御）を行うが、ＲＲＨのようなノードに接続した端末の個数が増加すると、ＰＤＳＣＨ領域内に、より多数のＥＰＤＣＣＨが割り当てられるため、端末の行うべきブラインドデコーティングの回数が増加し、複雑度が増加するという短所がありうる。
【００６９】
以下では、前述した説明に基づいて本発明に係るＥＰＤＣＣＨを構成する時間／周波数リソースを設定する方法を提案する。すなわち、ＥＰＤＣＣＨは、既存のＰＤＣＣＨとは違い、特定サブフレーム（ｓｕｂｆｒａｍｅ）で一定のＯＦＤＭシンボル（ＯＦＤＭ  ｓｙｍｂｏｌ）以降に現れるＯＦＤＭシンボルを用いて既存のＰＤＳＣＨ領域で送信される制御チャネルと定義される。ＥＰＤＣＣＨは、一つ或いは複数のＰＲＢ対（ＰＲＢ  ｐａｉｒ）を使用し、全体周波数領域からすると、一部のＰＲＢ対のみを用いて送信される特徴を有する。このようなＥＰＤＣＣＨが送信されてもよいＰＲＢ対は、事前に、ＲＲＣのような上位層信号によってＵＥに指定される。一つのＰＲＢ対は、一定の個数のＥＲＥＧ（ｅｎｈａｎｃｅｄ  ｒｅｓｏｕｒｃｅ  ｅｌｅｍｅｎｔ  ｇｒｏｕｐ）に分割でき、互いに同一のＰＲＢ対或いは異なったＰＲＢ対に位置するＥＲＥＧを束ねてＥＣＣＥ（ｅｎｈａｎｃｅｄ  ｃｏｎｔｒｏｌ  ｃｈａｎｎｅｌ  ｅｌｅｍｅｎｔ）を構成することができる。最終的に、一つのＥＰＤＣＣＨは、一つ或いは複数のＥＣＣＥをバンドル（ｂｕｎｄｌｉｎｇ）して送信される。
【００７０】
一つのＥＰＤＣＣＨを構成するＥＲＥＧが同一のＰＲＢ対から抽出されたか或いは互いに異なるＰＲＢ対から抽出されたかによって、ＥＰＤＣＣＨは局部モード（ｌｏｃａｌｉｚｅｄ  ｍｏｄｅ）と分散モード（ｄｉｓｔｒｉｂｕｔｅｄ  ｍｏｄｅ）とに区別できる。端末（ＵＥ）は、ＥＰＤＣＣＨを構成する時間／周波数リソースが与えられると、一定の規則に従って、自身にＥＰＤＣＣＨが送信され得るＥＰＤＣＣＨ候補（ｃａｎｄｉｄａｔｅ）を構成し、各ＥＰＤＣＣＨ候補で実際にＥＰＤＣＣＨ送信がなされたか否かを検出する形態で、ＥＰＤＣＣＨが伝達する制御信号を受信する。したがって、ＥＰＤＣＣＨを構成するリソースとは、ＥＰＤＣＣＨが送信され得るＥＰＤＣＣＨ候補が存在する時間／周波数リソースを意味するといえる。
【００７１】
まず、本発明によって、ＥＰＤＣＣＨを構成する時間リソースを設定する方法を説明する。
【００７２】
ＥＰＤＣＣＨは、一部のサブフレームで送信が不可能な場合がある。一例として、ＴＤＤスペシャルサブフレーム（ｓｐｅｃｉａｌ  ｓｕｂｆｒａｍｅ）のうち、下りリンク信号の送信に用いられるＤｗＰＴＳの長さが非常に短い場合には、ＥＰＤＣＣＨを送信するために必要なＲＥが十分でないか、ＥＰＤＣＣＨのＤＭ−ＲＳが存在しないことがある。そのため、このようなサブフレームでＥＰＤＣＣＨの送信は不可能なことがある。
【００７３】
また、プライマリ同期化信号（ｐｒｉｍａｒｙ  ｓｙｎｃｈｒｏｎｉｚａｔｉｏｎ  ｓｉｇｎａｌ、ＰＳＳ）、セカンダリ同期化信号（ｓｅｃｏｎｄａｒｙ  ｓｙｎｃｈｒｏｎｉｚａｔｉｏｎ  ｓｉｇｎａｌ、ＳＳＳ）、ＰＢＣＨのように、既存のＵＥが必ず受信すべき信号が送信されるＰＲＢ対では、ＥＰＤＣＣＨのＤＭ−ＲＳがそれらの信号（すなわち、ＰＳＳ、ＳＳＳなど）のために送信が不可能なことがあり、その場合には当該サブフレームの当該ＰＲＢ対でＥＰＤＣＣＨの送信が不可能となりうる。
【００７４】
また、複数のセルが同時にマルチキャスト（ｍｕｌｔｉｃａｓｔ）などの用途で同一信号を送信するＰＭＣＨやＵＥの位置を把握するために送信する位置参照信号（ｐｏｓｉｔｉｏｎｉｎｇ  ＲＳ）の場合にもＥＰＤＣＣＨ ＤＭ−ＲＳと衝突が起きるため、このようなサブフレームではＥＰＤＣＣＨの送信が不可能となりうる。
【００７５】
このようにＥＰＤＣＣＨの送信が一部のサブフレームで不可能となる場合、当該サブフレームではＰＤＣＣＨを介して制御信号を受信することが好ましい。一般に、ＵＥはＰＭＣＨやＰＲＳの送信が起きる位置を知らないことがあり、また、ＰＳＳ／ＳＳＳ／ＰＢＣＨの送信されるＰＲＢ対が部分的にＥＰＤＣＣＨ送信リソースと重なる場合、ｅＮＢがＥＰＤＣＣＨ送信を行うか否かを明確に把握できないことがある。したがって、このような問題を解決するために、ｅＮＢは、ＵＥがＲＲＣのような上位層信号を用いて、どのサブフレームでＥＰＤＣＣＨ送信が不可能であってＰＤＣＣＨを受信しなければならないかに関する情報を、ＵＥに伝達することができる。
【００７６】
このような場合、ＥＰＤＣＣＨ送信が不可能な理由は様々であり、その上、ＥＰＤＣＣＨ送信が不可能となるサブフレームが現れる時間周期が、理由によって大きく異なってくる特徴がある。より具体的に、もし、ＥＰＤＣＣＨを送信不可能な理由がＰＳＳ／ＳＳＳ／ＰＢＣＨの存在である場合、該当のサブフレームは５ｍｓのような短い周期で反復されるため、ＵＥがＰＤＣＣＨを受信すべきサブフレームが現れる周期は５ｍｓや１０ｍｓのような短い値を有することが好ましい。一方、ＥＰＤＣＣＨを送信不可能な理由がＰＭＣＨやＰＲＳの場合は、該当の信号は数十或いは数百ｍｓの周期で間欠的に現れるため、ＰＳＳ／ＳＳＳ／ＰＢＣＨの場合とはかなり異なった周期を有することになる。すなわち、ＵＥがＰＤＣＣＨを検出するサブフレームのパターンを所定のビットマップ（ｂｉｔｍａｐ）でシグナリングするとすれば、ＰＭＣＨやＰＲＳが現れる周期分のビット（ｂｉｔ）の個数が必要となるため、シグナリングオーバーヘッドが増加するという問題が発生する。
【００７７】
したがって、本発明では、複数のサブフレームパターンを用いてＰＤＣＣＨを検出するサブフレームを知らせ、これら複数のサブフレームパターンのいずれか一つのパターンででもＰＤＣＣＨを検出することが示されると、ＵＥは、当該サブフレームではＥＰＤＣＣＨを受信しないでＰＤＣＣＨを検出するように動作することを提案する。
【００７８】
例えば、サブフレームパターン＃１は、１０ｍｓのような短い周期で反復される１０ビット（ｂｉｔ）のビットマップ（ｂｉｔｍａｐ）のような形態とし、ＰＳＳ／ＳＳＳ／ＰＢＣＨに起因するＰＤＣＣＨ検出サブフレームを示すために用いることができる。また、サブフレームパターン＃２は、事前に定められた一連の周期とオフセット（ｏｆｆｓｅｔ）値の組合せのいずれか一つを選択する形態とし、長い周期のＰＭＣＨやＰＲＳに起因するＰＤＣＣＨ検出サブフレームを示すために用いることができる。勿論、ＰＭＣＨやＰＲＳが複数の周期／オフセット（ｏｆｆｓｅｔ）を用いて送信される場合には、サブフレームパターン＃２のような構造を有するパターンを複数個送信することも可能である。これによって、ＰＤＣＣＨ検出サブフレームの位置を知らせるために必要なシグナリングオーバーヘッド（ｓｉｇｎａｌｉｎｇ  ｏｖｅｒｈｅａｄ）を減らすことができる。
【００７９】
より具体的に、サブフレームパターン＃１が１０ｍｓ周期で反復されながら“１００００１００００”を示すビットマップで送信され、サブフレームパターン＃２が、２００ｍｓを周期に１７ｍｓのオフセットを有するものとして現れた場合を仮定する。この場合、まず、ＵＥは、サブフレームパターン＃１によって毎無線フレーム（ｒａｄｉｏ  ｆｒａｍｅ）のサブフレーム＃０、＃５でＰＤＣＣＨを検出すると同時に、サブフレームパターン＃２によって毎２１番目の無線フレーム（ｒａｄｉｏ  ｆｒａｍｅ）のサブフレーム＃７でもＰＤＣＣＨを検出することができる。
【００８０】
以下では、本発明によって、ＥＰＤＣＣＨを構成する周波数リソースを設定する方法を提案する。
【００８１】
ＥＰＤＣＣＨは、ＰＤＳＣＨ領域で他の信号（例えば、ＣＲＳ、ＣＳＩ−ＲＳなど）と共に送信されなければならず、毎サブフレームにおける設定（ｃｏｎｆｉｇｕｒａｔｉｏｎ）によって、ＥＰＤＣＣＨが使用できるリソース要素（ＲＥ）の個数が変化する。そのため、同一量のリソースでＥＰＤＣＣＨを構成するためには、ＥＰＤＣＣＨの構成周波数リソースのサイズを、ＥＰＤＣＣＨが使用できるＲＥの個数によって変化することが好ましい。
【００８２】
そこで、本発明では、一定のサイズのＰＲＢセットをＥＰＤＣＣＨ周波数リソース設定の基本単位とし、各ＵＥのＥＰＤＣＣＨを構成する周波数リソースのサイズを上記基本単位に該当するＰＲＢセットの個数を変化することによって調節することを提案する。
【００８３】
例えば、ＥＰＤＣＣＨ周波数リソース設定の基本単位としてＰＲＢセットを４個のＰＲＢ対で構成することができ、ＰＲＢ対（ｐａｉｒ）当たり相対的に多い数のＲＥを使用可能なサブフレームでは、少ない数のＰＲＢセットを使用する一方、ＰＲＢ対（ｐａｉｒ）ごとに相対的に少ない数のＲＥを使用可能なサブフレームでは多い数のＰＲＢセットを使用する。したがって、基地局（ｅＮＢ）は、事前に、ＲＲＣのような上位層信号のためにＮ個のＰＲＢセットを設定し、ＰＲＢ対当たり可用ＲＥが少ないサブフレームでは、Ｎ個のＰＲＢセットを全て使用し、ＰＲＢ対当たり可用ＲＥが多い他のサブフレームでは、減った個数のＰＲＢセット（例えば、Ｎ／２個のＰＲＢセット）のみを使用する。
【００８４】
端末（ＵＥ）が使用するＰＲＢセットの個数を決定する方法としては、一定の臨界値（ｔｈｒｅｓｈｏｌｄ）を置き、該当のサブフレームでＰＲＢ対ごとに利用可能なＲＥの個数を測定し、それが臨界値よりも多いか否かを判断できる。或いはｅＮＢが、ＲＲＣのような上位層信号を用いて、各サブフレームでいくつのＰＲＢセットを使用するかをＵＥに知らせることもできる。このとき、より多いＰＲＢセットを使用するサブフレームでは、各ＰＲＢセット当たりＥＰＤＣＣＨ候補の個数を減らすことによって、全体ＥＰＤＣＣＨ候補の個数の総和が一つのサブフレーム上で一定に維持されるように動作することが、ＵＥのＥＰＤＣＣＨデコーティング複雑度を増加させないという側面で好ましいだろう。
【００８５】
具体的に、本発明によれば、ＵＥが一つのサブフレームで集約レベル（ａｇｇｒｅｇａｔｉｏｎ  ｌｅｖｅｌ）｛１，２，４，８｝のＥＰＤＣＣＨ候補｛Ｍ１，Ｍ２，Ｍ４，Ｍ８｝個の検出を試みるとすれば、当該サブフレームでＫ個のＰＲＢセットを使用する場合、各ＰＲＢセットで｛Ｍ１／Ｋ，Ｍ２／Ｋ，Ｍ４／Ｋ，Ｍ８／Ｋ｝個ずつのＥＰＤＣＣＨ候補を形成するように動作する。このとき、各ＰＲＢセットでの各集約レベルに対するＥＰＤＣＣＨ候補個数であるＭＬ／Ｋが整数にならないと、その数より小さいか等しい最大の整数に該当するようにＥＰＤＣＣＨ候補個数を設定することができる。このような設定の結果として一部のＥＰＤＣＣＨ候補が残ると、インデックス（ｉｎｄｅｘ）の小さいＰＲＢセットから順に一つずつＥＰＤＣＣＨ候補の数を増やすことによって総ＥＰＤＣＣＨ候補の個数を維持することができる。また、より多いＰＲＢ対を含むＰＲＢセットに、より多いＥＰＤＣＣＨ候補が割り当てられるよう、ＰＲＢ対の個数が大きいＰＲＢセットが小さいインデックスを有するように整列されてもよい。
【００８６】
さらに、ＥＣＣＥのサイズ（すなわち、ＥＣＣＥを構成するＥＲＥＧの個数）は、当該サブフレームでＰＲＢ対当たり可用なＲＥ個数によって当該サブフレームで使用するＰＲＢセットの個数に連動して可変されてもよいが、これは、他の信号が多く存在することから、少ないＲＥがＥＰＤＣＣＨに使用可能な場合、ＥＣＣＥのサイズを増やして（換言すれば、ＰＲＢ対当たりＥＣＣＥの個数を減らして）ＥＣＣＥのコーディングレートを一定に維持させるためである。例えば、サブフレーム＃１でＫ１個のＰＲＢセットを使用するが、サブフレーム＃２でＫ２個のＰＲＢセットを使用する場合には、サブフレーム＃１でのＥＣＣＥのサイズをＰ１のＲＥに設定したとすれば、サブフレーム＃２でのＥＣＣＥのサイズは、Ｐ１＊Ｋ２／Ｋ１のＲＥとなるように設定することができる。
【００８７】
ここで、Ｋ個のＰＲＢセットがある場合、各セットのＥＰＤＣＣＨ候補は可能な限り均一に分割されると仮定したが、各セット別に重み付け変数（ｗｅｉｇｈｔｉｎｇ  ｆａｃｔｏｒ）を与え、重み付け変数の大きいＰＲＢセットに、より多いＥＰＤＣＣＨ候補が割り当てられるように設定することもできる。例えば、ＵＥが一つのサブフレームで集約レベル｛１，２，４，８｝のＥＰＤＣＣＨ候補（ＥＰＤＣＣＨ  ｃａｎｄｉｄａｔｅ）｛Ｍ１，Ｍ２，Ｍ４，Ｍ８｝個の検出を試みるとき、合計Ｋ個のＰＲＢセットのうち、ｍ番目のＰＲＢセットに対する重み付け変数は、それぞれ集約レベル｛ｗｍ，１，ｗｍ，２，ｗｍ，４，ｗｍ，８｝と与えられたと仮定する。このとき、各ＰＲＢセットでのＥＰＤＣＣＨ候補個数は、｛Ｍ１＊ｗｍ，１／ｗ１，Ｍ２＊ｗｍ，２／ｗ２，Ｍ４＊ｗｍ，４／ｗ４，Ｍ８＊ｗｍ，８／ｗ８｝のように与えることができ、ｗＬは、集約レベルＬでの各ＰＲＢセットの重み付け変数の和に該当する。このような場合には、各ＰＲＢセットでの集約レベル別重み付け変数に比例するようにＥＰＤＣＣＨ候補が割り当てられ、この重み付け変数は、当該ＰＲＢセットを構成するＰＲＢ対の個数（例えば、より多いＰＲＢ対を有するＰＲＢセットに、より多いＥＰＤＣＣＨ候補を割り当てるために、より高い重み付け変数を与えることができる）、又は当該ＰＲＢセットが局部ＥＰＤＣＣＨか又は分散ＥＰＤＣＣＨか（例えば、より安定したＥＰＤＣＣＨ送信が可能な分散ＥＰＤＣＣＨに設定（ｃｏｎｆｉｇｕｒｅ）されたＰＲＢセットに対してより高い重み付け変数を与えることができる）によって定められてもよい。又は、基地局がＲＲＣのような上位層信号で設定した値が重み付け変数として定められてもよい。
【００８８】
各セット別に重み付け変数を与える場合にも、各ＰＲＢセットでのそれぞれの集約レベルに対するＥＰＤＣＣＨ候補個数であるＭＬ＊ｗｍ，Ｌ／ｗＬが整数にならないと、その数より小さいか等しい最大の整数に該当するようにＥＰＤＣＣＨ候補個数を設定することができる。したがって、このような設定結果として一部のＥＰＤＣＣＨ候補が残ると、インデックスの小さいＰＲＢセットから順に一つずつＥＰＤＣＣＨ候補の数を増加させて合計のＥＰＤＣＣＨ候補の個数を維持することができる。もし特定ＰＲＢセットで一つのＥＰＤＣＣＨ候補の数を増加させると決定した場合は、どの集約レベルでのＥＰＤＣＣＨ候補数を増加させるべきかが定められなければならないが、一例として、最も低い集約レベルや最も高い集約レベル或いは中間に該当する集約レベルのように特定の集約レベルのＥＰＤＣＣＨ候補数を増加させるように事前に指定されてもよい。
【００８９】
また、ＰＲＢ対当たり可用ＲＥの個数と関係なく、ＥＣＣＥのサイズ（言い換えると、ＰＲＢ対当たりＥＣＣＥの個数）が固定されてもよい。この場合には、集約レベルの最小値を１よりも大きい値に増加させることによって、減ったＲＥの個数を補完することができる。例えば、可用ＲＥの個数が多い場合には、一つのサブフレームで集約レベル｛１，２，４，８｝のＥＰＤＣＣＨ候補｛Ｍ１，Ｍ２，Ｍ４，Ｍ８｝個の検出を試みるとすれば、利用可能なＲＥの個数が少ない場合には、集約レベル｛２，４，８，１６｝のＥＰＤＣＣＨ候補｛Ｍ１，Ｍ２，Ｍ４，Ｍ８｝個の検出を試みる。この場合にも、上述した通り、使用するＰＲＢセットの個数Ｋが増加すると、各ＰＲＢセット当たり位置するＥＰＤＣＣＨ候補の個数が減ることから、一つのサブフレーム内の総ＥＰＤＣＣＨ候補個数は維持される。
【００９０】
また、本発明で、特定端末に対してＥＰＤＣＣＨ送信のためにＫ個（すなわち、ｋ＝１，２，…，（Ｋ−１），Ｋ）のＥＰＤＣＣＨセットが設定された場合を仮定できる。以下では、説明の便宜のためにＫ個のＥＰＤＣＣＨセットを中心に説明するが、上述したＫ個のＰＲＢセットにも同様の方式で適用されてもよいことは勿論である。このような場合、本発明では、特定端末がｋ番目のＥＰＤＣＣＨセット上で集約レベル｛ａ，ｂ，ｃ，ｄ｝別ＥＰＤＣＣＨ候補｛Ｍａ，ｋ，Ｍｂ，ｋ，Ｍｃ，ｋ，Ｍｄ，ｋ｝個の検出を試みるとする場合、Ｋ個のＥＰＤＣＣＨセット間に特定集約レベルに対するＥＰＤＣＣＨ候補個数を效率的に（再）分配できる方法を提案する。ここで、Ｍａ，ｋは、ｋ番目のＥＰＤＣＣＨセットで端末が検出を試みる集約レベルａに対するＥＰＤＣＣＨ候補個数を意味する。
【００９１】
さらに、本発明に係る実施例は、Ｋ個のＥＰＤＣＣＨセット間に特定集約レベルに対するＥＰＤＣＣＨ候補個数が同一に設定された場合、部分的に異なるように設定された場合、或いは全て異なるように設定された場合のいずれにおいても拡張して適用可能である。
【００９２】
【数４】
0006336981.tif 000008
【００９３】
【数５】
0006336981.tif 000009
【００９４】
以下では、図９を参照して、本発明の実施例に係るＫ個のＥＰＤＣＣＨセット間に特定集約レベルに対するＥＰＤＣＣＨ候補個数を（再）分配させる方法についてより詳しく説明する。
【００９５】
まず、ｋ番目のＥＰＤＣＣＨセットに対して、確率的に期待される集約レベルａに対するＥＰＤＣＣＨ候補個数又は集約レベルａのＥＰＤＣＣＨ候補個数に対する（確率的）期待値（すなわち、Ｘａ，ｋ）は、式１のように導出することができる（Ｓ９０１）。
【００９６】
【数６】
0006336981.tif 000010
【００９７】
【数７】
0006336981.tif 000011
【００９８】
【数８】
0006336981.tif 000012
【００９９】
【数９】
0006336981.tif 000013
【０１００】
【数１０】
0006336981.tif 000014
【０１０１】
【数１１】
0006336981.tif 000015
【０１０２】
【数１２】
0006336981.tif 000016
【０１０３】
【数１３】
0006336981.tif 000017
【０１０４】
上述した本発明の実施例では、Ｋ個のＥＰＤＣＣＨセット間に特定集約レベルに対するＥＰＤＣＣＨ候補個数をＳ９０１を通じて優先的に分配させた後、Ｓ９０１で計算されたＥＰＤＣＣＨセット別特定集約レベルのＥＰＤＣＣＨ候補個数に対する（確率的）期待値の和が、既存に当該集約レベルに割り当てられたＫ個のＥＰＤＣＣＨセットのＥＰＤＣＣＨ候補個数の和よりも小さい場合に、Ｓ９０１を通じて割り当てられていない特定集約レベルの残りＥＰＤＣＣＨ候補個数を、Ｓ９０３を通じて（再）割当した。すなわち、特定の一つの集約レベル範囲（例えば、集約レベルａ）上でのみＳ９０１を通じて割り当てられていない当該集約レベル（すなわち、集約レベルａ）の残りＥＰＤＣＣＨ候補個数を、Ｋ個のＥＰＤＣＣＨセット間に当該集約レベル（すなわち、集約レベルａ）のＥＰＤＣＣＨ候補として（再）分配することができる。
【０１０５】
【数１４】
0006336981.tif 000018
【０１０６】
さらに、上記Ｓ９０３段階で割り当てられていない集約レベルａの残りＥＰＤＣＣＨ候補個数を分配する場合、既存にｋ番目のＥＰＤＣＣＨセットの集約レベルａに対するＥＰＤＣＣＨ候補個数が０でない値に設定されていたにもかかわらず、Ｓ９０１を通じて当該ＥＰＤＣＣＨセットが集約レベルａに対するＥＰＤＣＣＨ候補個数を一つも（再）割当してもらえなかったら、Ｓ９０３で（例外として）当該ｋ番目の特定ＥＰＤＣＣＨセットに優先的に集約レベルａの残りＥＰＤＣＣＨ候補個数を割り当てるように設定されてもよい。
【０１０７】
以下では、本発明の実施例によってＥＰＤＣＣＨの検索領域（Ｓｅａｒｃｈ  Ｓｐａｃｅ、ＳＳ）を効率的に設計及び運営する方法について説明する。上述した通り、ＰＤＳＣＨ領域は、複数のＯＦＤＭシンボルで構成されるサブフレーム（ＳＦ）でレガシーＰＤＣＣＨ送信の用途に用いられる先頭における一部のＯＦＤＭシンボルを除く残りＯＦＤＭシンボルで構成される領域と定義される。また、本発明は、ＰＤＣＣＨ送信の用途に用いられるＯＦＤＭシンボルが存在せず、当該ＳＦの全ＯＦＤＭシンボルがＰＤＳＣＨ領域として指定及び使用される場合にも適用可能である。また、以下に説明するＥＰＤＣＣＨは、一般的な端末だけでなく、リレイ（ｒｅｌａｙ）が基地局と通信を行う場合に用いられてもよいことは明らかである。
【０１０８】
また、以下では、説明の便宜のために、ＥＰＤＣＣＨを構成するリソースの基本単位をＥＣＣＥと命名し、当該ＥＣＣＥは事前に定義された個数のＲＥで構成されると定義する。また、特定ＥＰＤＣＣＨ送信に用いられるＥＣＣＥの個数がＮ個であれば、集約レベル（Ａｇｇｒｅｇａｔｉｏｎ  Ｌｅｖｅｌ、ＡＬ）Ｎと表記するものとする。
【０１０９】
本発明の実施例として、信頼性の高いＥＰＤＣＣＨ送信のために、基地局と端末間のチャネル状態変化又は／及び特定ＰＲＢ対上でＥＰＤＣＣＨ送信に利用可能なＲＥの個数が変化されると仮定する。これによって、本発明では、特定ＥＰＤＣＣＨ送信に用いられるＥＣＣＥの個数（すなわち、集約レベル）を変化させたり、一つのＥＣＣＥを構成するＲＥの個数を変化させたり、或いは特定ＥＰＤＣＣＨ送信に用いられるＥＣＣＥの個数及びＥＣＣＥを構成するＲＥの個数を共に変化させる方案を提案する。これらの本発明の実施例によって、ＥＰＤＣＣＨ送信のためのコーディングレート（Ｃｏｄｉｎｇ  Ｒａｔｅ）を状況変化に応じて適切に変更或いは状況変化によらずに適切に維持することによって、信頼性の高いＥＰＤＣＣＨ送信を行うことができる。
【０１１０】
例えば、チャネル状態がよくない場合、相対的に多い個数のＥＣＣＥ（すなわち、相対的に高い集約レベル）をＥＰＤＣＣＨ送信に用いることによって、ＥＰＤＣＣＨコーディングレートを相対的に下げるように変更したり、特定ＰＲＢ対で、ＥＰＤＣＣＨ送信に利用可能なＲＥの個数が、事前に定義された臨界値（すなわち、Ｘ＿ｔｈ）よりも少ない場合に、相対的に多い個数のＥＣＣＥ（すなわち、相対的に高い集約レベル）をＥＰＤＣＣＨ送信に用いることによって、適度なレベルのＥＰＤＣＣＨコーディングレートを維持することができる。
【０１１１】
また、レガシーＰＤＣＣＨの場合、端末が検索領域（ＳＳ）上で行うべき集約レベル別ブラインドデコーティング（Ｂｌｉｎｄ  Ｄｅｃｏｄｉｎｇ、ＢＤ）の回数或いはブラインドデコーティング最大回数が事前に定義されていてもよい。表３を参照すると、端末特定検索領域（ＵＥ−ｓｐｅｃｉｆｉｃ  Ｓｅａｒｃｈ  Ｓｐａｃｅ、ＵＳＳ）の場合、集約レベル｛１，２，４，８｝別ブラインドデコーティング回数は｛６，６，２，２｝とそれぞれ定義されている。端末は、ＵＳＳ上で集約レベル別に定義された回数のブラインドデコーティングを通じて、基地局が端末に送信する特定送信モードベース（ＴＭ或いはフォールバックＴＭ）の制御情報（例えば、ＴＭ−ｓｐｅｃｉｆｉｃ  ＤＣＩ或いはＦａｌｌｂａｃｋ  ＤＣＩ）を受信することができる。
【０１１２】
したがって、本発明では、ＥＰＤＣＣＨが用いられる環境下で複数個の集約レベルが定義される場合、集約レベル別ブラインドデコーティング回数の効率的な設定によって、端末の制御情報受信動作を低い複雑度で実行可能にさせる方法を提案する。
【０１１３】
本発明の実施例は、ＥＰＤＣＣＨ送信タイプ（例えば、局部ＥＰＤＣＣＨ（Ｌ−ＥＰＤＣＣＨ）或いは分散ＥＰＤＣＣＨ（Ｄ−ＥＰＤＣＣＨ））、或いは特定ＰＲＢ対上でＥＰＤＣＣＨ送信に利用可能なＲＥの個数が事前に定義された臨界値（Ｘ＿ｔｈ）より多いか又は少ないかにかかわらず、いずれの場合にも拡張して適用可能である。
【０１１４】
また、本発明の実施例は、少なくとも一つのＥＰＤＣＣＨセット（ここで、特定ＥＰＤＣＣＨセットは複数個のＰＲＢ対で構成されてもよい）がＥＰＤＣＣＨ送信のために設定された環境、或いはＥＰＤＣＣＨセット別設定された集約レベルの個数或いは種類構成が同一である、或いはＥＰＤＣＣＨセット別設定された集約レベルの個数或いは種類構成が互いに異なる場合でも拡張して適用可能である。
【０１１５】
本発明では、ＥＰＤＣＣＨ送信のためにＭ個の集約レベルが用いられる場合、事前に定義されたＫ個の集約レベルのみに対して、事前に定義されたＫ個のブラインドデコーティング回数（すなわち、｛ＢＤ１，ＢＤ２，…，ＢＤＫ−１，ＢＤＫ｝）或いはＭ個の集約レベルから選択されたＫ個の集約レベルに該当するブラインドデコーティング回数種類が適用されるように設定されてもよい。以下で、ブラインドデコーティング｛ＢＤ１，ＢＤ２，…，ＢＤＫ−１，ＢＤＫ｝で現れるブラインドデコーティング回数は、それぞれの集約レベルに基づいて制御情報を検出するためにモニタしなければならないＥＰＤＣＣＨ候補の個数と解釈されてもよい。
【０１１６】
図１０は、本発明の一実施例によって、ＥＰＤＣＣＨモニタリングを行う動作を説明するための図である。
【０１１７】
端末（ＵＥ）は、制御情報モニタリングのための集約レベル関連情報を受信する（Ｓ１００１）。例えば、（集約レベルに関連した）Ｋ値、Ｋ個のブラインドデコーティング回数種類或いはこれに対する値のうち少なくとも一つに関する情報は、事前に定義された規則に従って暗黙的に定められるように規則を定義したり、或いは事前に定義されたシグナル（例えば、上位層シグナル）を通じて基地局が端末に知らせるように設定されてもよい。特に、上記Ｋ値は、既存ＰＤＣＣＨの全体集約レベル種類個数（例えば、‘Ｋ＝４’（すなわち、集約レベル｛１，２，４，８｝））と同一に設定されるように定義されてもよく、当該Ｋ個（すなわち、‘Ｋ＝４’）の集約レベルに該当するブラインドデコーティングも既存ＰＤＣＣＨでのブラインドデコーティング種類（例えば、ＵＳＳの場合、ブラインドデコーティング｛６，６，２，２｝）をそのまま再利用するように設定されてもよい。
【０１１８】
他の例として、選択されたＫ個の集約レベルにそれぞれ割り当てられるブラインドデコーティング回数の総和（すなわち、‘ＢＤ１＋ＢＤ２＋…＋ＢＤＫ−１＋ＢＤＫ’）は、事前に定義された値（例えば、１６）を越えないように設定されてもよい。ここで、ブラインドデコーティング回数の総和に関する情報も、事前に定義された規則に従って暗黙的に定められたり或いは事前に定義されたシグナル（例えば、上位層シグナル）を通じて基地局が端末に知らせるように設定されてもよい。
【０１１９】
更に他の例として、上記Ｋ値、或いはＫ個のブラインドデコーティング回数種類或いはこれに関する値、或いはＫ個の集約レベル種類／構成の少なくとも一つに関する情報は、システム帯域幅、ＥＰＤＣＣＨセットを構成するＰＲＢ対の個数情報、ＥＰＤＣＣＨセットのＥＰＤＣＣＨ送信タイプ種類情報（例えば、局部或いは分散ＥＰＤＣＣＨ（セット））、或いは端末がモニタするＤＣＩフォーマットの種類情報のうち少なくとも一つによって異なるように設定されてもよい。さらに、これに関連した情報は、事前に定義された規則に従って暗黙的に定められるように設定されたり、或いは事前に定義されたシグナル（例えば、上位層シグナル）を通じて基地局が端末に知らせるように設定されてもよい。
【０１２０】
さらに、（集約レベルに関連した）Ｋ値、Ｋ個のブラインドデコーティング回数種類或いはこれに関する値、或いはＫ個の集約レベル種類／構成のうち少なくとも一つが特定に設定されたとしても、事前に定義された規則によって異なるように適用されるように設定されてもよい。すなわち、端末が、システム帯域幅、ＥＰＤＣＣＨセットを構成するＰＲＢ対個数情報、ＥＰＤＣＣＨセットのＥＰＤＣＣＨ送信タイプ種類情報（例えば、局部或いは分散ＥＰＤＣＣＨセット）、或いは端末がモニタするＤＣＩフォーマットの種類情報によって、特定の情報（例えば、Ｋ値）を異なった形態の意味として適用するように設定されてもよい。
【０１２１】
例えば、特定の値のＫ又はＫ個のブラインドデコーティング回数種類であるとしても、事前に定義された臨界値よりも大きいシステム帯域幅状況では、端末が、事前に定義された規則によって相対的に高い値のＫ個の集約レベル種類／構成或いは特定集約レベルにＫ個のブラインドデコーティング回数の割当を適用するように設定されてもよい。具体的に、ＥＰＤＣＣＨ送信のために５個の集約レベル（例えば、集約レベル｛１，２，４，８，１６｝）が用いられ、Ｋ値はレガシーＰＤＣＣＨの全体集約レベル種類個数（例えば、‘Ｋ＝４’）と同一に設定され、Ｋ個（すなわち、‘Ｋ＝４’）の集約レベルに該当するブラインドデコーティング回数もレガシーＰＤＣＣＨ ＵＳＳでのブラインドデコーティング回数種類（例えば、ブラインドデコーティング｛６，６，２，２｝）をそのまま再利用するように設定されたとすれば、５個の集約レベルのうち、事前に定義された規則に基づいて選択される４個の集約レベル（例えば、代表的に｛１，２，４，８｝又は｛２，４，８，１６｝などの構成が可能である）のみに対してそれぞれブラインドデコーティング｛６，６，２，２｝によるブラインドデコーティング回数が割り当てられうる。言い換えると、特定のブラインドデコーティング回数或いはＥＰＤＣＣＨ候補個数に対して異なった集約レベル（例えば、適用される集約レベルは、特定の集約レベルの倍数の形態）が適用されてもよい。
【０１２２】
又は、ＥＰＤＣＣＨ送信のために６個の集約レベル（例えば、集約レベル｛１，２，４，８，１６，３２｝）が用いられ、上述した‘Ｋ＝４’とブラインドデコーティング｛６，６，２，２｝）が同一に適用されるとすれば、６個の集約レベルのうち、事前に定義された規則に基づいて選択される４個の集約レベル（例えば、代表的に｛１，２，４，８｝、｛２，４，８，１６｝、｛２，４，８，３２｝などの構成が可能である）のみに対してそれぞれ、ブラインドデコーティング｛６，６，２，２｝によるブラインドデコーティング個数が割り当てられてもよい。
【０１２３】
追加の方法として、ＥＰＤＣＣＨ送信のための全体Ｍ個の集約レベルのうち、ブラインドデコーティングのために選択されるＫ個の集約レベル種類は、事前に定義された規則によって暗黙的に選択されるように設定されたり、或いは事前に定義されたシグナル（例えば、上位層シグナル）を通じて基地局が端末に知らせるように設定されてもよい。例えば、全体Ｍ個の集約レベルのうち、ブラインドデコーティング回数割当のために選択されるＫ個の集約レベル種類は、システム帯域幅、或いはＥＰＤＣＣＨセットを構成するＰＲＢ対個数情報、或いはＥＰＤＣＣＨセットのＥＰＤＣＣＨ送信タイプ種類情報（例えば、局部或いは分散ＥＰＤＣＣＨセット）、或いは端末がモニタするＤＣＩフォーマットの種類情報のうち少なくとも一つ）によって異なるように設定されてもよい。
【０１２４】
さらに、このようなモニタリング関連情報は、事前に定義された規則によって暗黙的に定められるように設定されたり、或いは事前に定義されたシグナル（例えば、上位層シグナル）を通じて基地局が端末に知らせるように設定されてもよい。
【０１２５】
また、本発明の実施例として、事前に定義された規則によって暗黙的に定められるように設定される場合、事前に定義された特定基準条件を満たすか否かによって、全体Ｍ個の集約レベルのうち、互いに異なる構成のＫ個の集約レベル種類が選択されるように規則を定めてもよい。ここで、特定基準条件に関する情報は、事前に定義された規則によって暗黙的に定められるように設定されたり、或いは事前に定義されたシグナル（例えば、上位層シグナル）を通じて基地局が端末に知らせるように設定されてもよい。
【０１２６】
具体的には、特定基準条件が、一つのＰＲＢ対上でＥＰＤＣＣＨ送信に利用可能なＲＥの個数（すなわち、Ｎ＿ＲＥ）が（事前に定義された）臨界値（Ｘ＿ｔｈ）を満たすか否かの条件と設定された状況を仮定できる。このような場合、特定ＰＲＢ対上でＥＰＤＣＣＨ送信に利用可能なＲＥの個数（すなわち、Ｎ＿ＲＥ）が、事前に定義された臨界値（Ｘ＿ｔｈ）よりも少ない場合、全体Ｍ個の集約レベルから選択されるＫ個の集約レベルは、事前に定義された‘最小値の集約レベル（すなわち、ＡＬＮ＿ＲＥ＜Ｘ）’以上の条件を満たすＫ個の集約レベルで構成されるように設定されてもよい。例えば、全体Ｍ個の集約レベルから選択されるＫ個の集約レベルは、Ｍ個の集約レベルで構成された集約レベル集合内で集約レベル値に対する昇順方向の整列（Ｏｒｄｅｒｉｎｇ）を適用した後、事前に定義された‘最小値の集約レベル’以上の条件を満たす最初の集約レベルから順次にＫ個の集約レベルが選択（例えば、一種の循環移動（Ｃｙｃｌｉｃ  Ｓｈｉｆｔ）方式ベースの選択方法と表現できる。）されたり、或いは事前に定義された選択規則（例えば、順次に選択する方式とは異なる形態）に基づいてＫ個の集約レベルが選択されてもよい。
【０１２７】
ここで、実施例として、最小値の集約レベル（すなわち、ＡＬＮ＿ＲＥ＜Ｘ）は、事前に定義された規則（例えば、Ｎ＿ＲＥ＜Ｘの場合、‘ＡＬＮ＿ＲＥ＜Ｘ＝２’と定義）によって暗黙的に選択されたり、或いは事前に定義されたシグナル（例えば、上位層シグナル）を通じて基地局が端末に知らせるように設定されてもよい。また、一例として、最小値の集約レベル（すなわち、ＡＬＮ＿ＲＥ＜Ｘ）は、システム帯域幅、或いはＥＰＤＣＣＨセットを構成するＰＲＢ対個数情報、或いはＥＰＤＣＣＨセットのＥＰＤＣＣＨ送信タイプ種類情報（例えば、局部或いは分散ＥＰＤＣＣＨセット）、或いは端末がモニタするＤＣＩフォーマットの種類情報のうち少なくとも一つによって異なるように設定されてもよい。
【０１２８】
さらに、このようなモニタリング関連情報は、事前に定義された規則によって暗黙的に定められるように設定されたり、或いは事前に定義されたシグナル（例えば、上位層シグナル）を通じて基地局が端末に知らせるように設定されてもよい。
【０１２９】
他の実施例として、特定ＰＲＢ対上でＥＰＤＣＣＨ送信に利用可能なＲＥの個数が、事前に定義された臨界値（Ｘ＿ｔｈ）より大きいか等しい場合、当該状況に対する最小値の集約レベル（すなわち、ＡＬＮ＿ＲＥ＞＝Ｘ）は、残り他の場合（すなわち、Ｎ＿ＲＥ＜Ｘ）とは独立して設定することができる。ここで、最小値の集約レベル（すなわち、ＡＬＮ＿ＲＥ＞＝Ｘ）は、事前に定義された規則（例えば、ＥＰＤＣＣＨ送信のために設定されたＭ個の集約レベルから最小値の集約レベルを選択）によって暗黙的に選択されたり、或いは事前に定義されたシグナル（例えば、上位層シグナル）を通じて基地局が端末に知らせるように設定されてもよい。
【０１３０】
さらに、最小値の集約レベル（すなわち、ＡＬＮ＿ＲＥ＞＝Ｘ）は、システム帯域幅、或いはＥＰＤＣＣＨセットを構成するＰＲＢ対個数情報、或いはＥＰＤＣＣＨセットのＥＰＤＣＣＨ送信タイプ種類情報（例えば、局部或いは分散ＥＰＤＣＣＨセット）、或いは端末がモニタするＤＣＩフォーマットの種類情報のうち少なくとも一つによって異なるように設定されてもよい。さらに、最小値の集約レベルに関連した情報は、事前に定義された規則によって暗黙的に定められるように設定されたり、或いは事前に定義されたシグナル（例えば、上位層シグナル）を通じて基地局が端末に知らせるように設定されてもよい。
【０１３１】
更に他の実施例として、Ｎ＿ＲＥ＜ＸとＮ＿ＲＥ＞＝Ｘの場合に対してそれぞれ一部が互いに異なるか或いは全部が互いに異なる構成の集約レベル集合（すなわち、ＳＥＴＮ＿ＲＥ＜Ｘ（ＭＮ＿ＲＥ＜Ｘ個の集約レベルで構成）、ＳＥＴＮ＿ＲＥ＞＝Ｘ（ＭＮ＿ＲＥ＞＝Ｘ個の集約レベルで構成））が定義されたと仮定する。このとき、本発明の実施例は、それぞれの場合に対して、事前に定義されたＫＮ＿ＲＥ＜Ｘ、ＫＮ＿ＲＥ＞＝Ｘ個の集約レベルのみに対してＫＮ＿ＲＥ＜Ｘ、ＫＮ＿ＲＥ＞＝Ｘ個のブラインドデコーティング回数種類（すなわち、ＢＤ ＳＥＴＮ＿ＲＥ＜Ｘ、ＢＤ ＳＥＴＮ＿ＲＥ＞＝Ｘ）が割り当てられるように設定されてもよい。すなわち、互いに異なる条件の集約レベル集合に対して本発明の実施例をそれぞれ独立して適用させることができる。例えば、もし、Ｎ＿ＲＥ＞＝ＸとＮ＿ＲＥ＜Ｘの場合に対してそれぞれ、集約レベル｛１，２，４，８，１６｝（すなわち、ＭＮ＿ＲＥ＞＝Ｘ＝５）、集約レベル｛２，４，８，１６，３２｝（すなわち、ＭＮ＿ＲＥ＜Ｘ＝５）が定義され、‘ＫＮ＿ＲＥ＜Ｘ＝ＫＮ＿ＲＥ＞＝Ｘ＝４’、‘ＢＤ ＳＥＴＮ＿ＲＥ＜Ｘ＝ＢＤ ＳＥＴＮ＿ＲＥ＞＝Ｘ＝｛６，６，２，２｝’と設定されたと仮定する。
【０１３２】
上述した本発明の実施例を適用して、Ｎ＿ＲＥ＞＝Ｘでは、‘集約レベル｛１，２，４，８｝の場合、ブラインドデコーティングのための設定はＳＥＴＮ＿ＲＥ＞＝Ｘ＝｛６，６，２，２｝’、Ｎ＿ＲＥ＜Ｘでは、‘集約レベル｛２，４，８，１６｝の場合、ブラインドデコーティングのための設定はＳＥＴＮ＿ＲＥ＜Ｘ＝｛６，６，２，２｝’と設定することができる。或いは、Ｎ＿ＲＥ＞＝Ｘでは、‘集約レベル｛１，２，４，８｝の場合、ブラインドデコーティングのための設定はＳＥＴＮ＿ＲＥ＞＝Ｘ＝｛６，６，２，２｝’、Ｎ＿ＲＥ＜Ｘでは、‘集約レベル｛４，８，１６，３２｝の場合、ブラインドデコーティングのための設定はＳＥＴＮ＿ＲＥ＜Ｘ＝｛６，６，２，２｝’と設定することもできる。又は、Ｎ＿ＲＥ＞＝Ｘでは、‘集約レベル｛２，４，８，１６｝の場合、ブラインドデコーティングのための設定はＳＥＴＮ＿ＲＥ＞＝Ｘ＝｛６，６，２，２｝’、Ｎ＿ＲＥ＜Ｘでは、‘集約レベル｛４，８，１６，３２｝の場合、ブラインドデコーティングのための設定はＳＥＴＮ＿ＲＥ＜Ｘ＝｛６，６，２，２｝’と設定されてもよい。或いは、Ｎ＿ＲＥ＞＝Ｘでは、‘集約レベル｛１，２，４，８｝の場合、ブラインドデコーティングのための設定はＳＥＴＮ＿ＲＥ＞＝Ｘ＝｛６，６，２，２｝’、Ｎ＿ＲＥ＜Ｘでは、‘集約レベル｛２，４，８，３２｝の場合、ブラインドデコーティングのための設定はＳＥＴＮ＿ＲＥ＜Ｘ＝｛６，６，２，２｝’）と設定されてもよい。このように、設定される集約レベルは、特定端末に対して事前に定義された最大ブラインドデコーティング回数（すなわち、１６）を越えない範囲内で個別集約レベルに対してブラインドデコーティング回数が設定されればよく、場合によっては、集約レベル１に対するブラインドデコーティング回数を任意の数（例えば、０）に設定し、残りの集約レベルにブラインドデコーティング回数を再割当してもよい。
【０１３３】
ここで、Ｎ＿ＲＥ＜Ｘ或いはＮ＿ＲＥ＞＝Ｘの場合においてそれぞれ選択されるＫＮ＿ＲＥ＜Ｘ、ＫＮ＿ＲＥ＞＝Ｘ個の集約レベルは、上述した‘最小値の集約レベル（すなわち、ＡＬＮ＿ＲＥ＜Ｘ、ＡＬＮ＿ＲＥ＞＝Ｘ）’条件をそれぞれ満たす集約レベルで構成することができ、さらに、それぞれの場合に対する‘最小値の集約レベル（すなわち、ＡＬＮ＿ＲＥ＜Ｘ、ＡＬＮ＿ＲＥ＞＝Ｘ）’は、事前に定義された規則によって暗黙的に選択されるように設定されたり、或いは事前に定義されたシグナル（例えば、上位層シグナル）を通じて基地局が端末に知らせるように設定されてもよい。また、ＭＮ＿ＲＥ＞＝Ｘ、ＭＮ＿ＲＥ＜Ｘ個の集約レベルのうち、ブラインドデコーティング回数割当のために選択されるＫＮ＿ＲＥ＜Ｘ、ＫＮ＿ＲＥ＞＝Ｘ個の集約レベル種類は、事前に定義された規則によって暗黙的に選択されたり、或いは事前に定義されたシグナル（例えば、上位層シグナル）を通じて基地局が端末に知らせるように設定されてもよい。
【０１３４】
更に他の実施例として、もし、Ｎ＿ＲＥ＜ＸとＮ＿ＲＥ＞＝Ｘの場合に対してそれぞれ、一部が互いに異なるか全てが互いに異なる構成の集約レベル集合（すなわち、ＳＥＴＮ＿ＲＥ＜Ｘ（ＭＮ＿ＲＥ＜Ｘ個の集約レベルで構成）、ＳＥＴＮ＿ＲＥ＞＝Ｘ（ＭＮ＿ＲＥ＞＝Ｘ個の集約レベルで構成））が定義されたと仮定する。このとき、２つの集合に対する和集合（すなわち、‘ＳＥＴＮ＿ＲＥ＜Ｘ∪ＳＥＴＮ＿ＲＥ＞＝Ｘ’）を形成した後に、形成された和集合の集約レベル集合に対して本発明の実施例が適用される形態として具現されてもよい。又は、２つの集合に対する積集合（すなわち、‘ＳＥＴＮ＿ＲＥ＜Ｘ∩ＳＥＴＮ＿ＲＥ＞＝Ｘ’））を形成した後に、形成された積集合の集約レベル集合に対して本発明の実施例が適用されるように設定されてもよい。例えば、もしＮ＿ＲＥ＞＝ＸとＮ＿ＲＥ＜Ｘの場合に対してそれぞれ、集約レベル｛１，２，４，８，１６｝（すなわち、ＭＮ＿ＲＥ＞＝Ｘ＝５）、集約レベル｛２，４，８，１６，３２｝（すなわち、ＭＮ＿ＲＥ＜Ｘ＝５）が定義されていると、優先的に２つの集合に対する和集合を集約レベル｛１，２，４，８，１６，３２｝のように形成する。この過程後に、当該和集合の集約レベル｛１，２，４，８，１６，３２｝で事前に（暗黙的な方法或いは上位層シグナルによって）定義された‘ＫＮ＿ＲＥ＜Ｘ或いはＫＮ＿ＲＥ＞＝Ｘ、ブラインドデコーティングＳＥＴＮ＿ＲＥ＜Ｘ或いはブラインドデコーティングＳＥＴＮ＿ＲＥ＞＝Ｘ、若しくはＡＬＮ＿ＲＥ＜Ｘ或いはＡＬＮ＿ＲＥ＞＝Ｘ’のうち少なくとも一つの情報に基づいて、それぞれの場合に対する集約レベル別ブラインドデコーティング回数を設定する。
【０１３５】
上述した本発明の実施例によって、Ｎ＿ＲＥ＜ＸとＮ＿ＲＥ＞＝Ｘの場合に、それぞれのＭＮ＿ＲＥ＞＝Ｘ、ＭＮ＿ＲＥ＜Ｘ個の集約レベルから、ブラインドデコーティング回数割当のためにＫＮ＿ＲＥ＜Ｘ、ＫＮ＿ＲＥ＞＝Ｘ個の集約レベル種類を選択し、（事前に定義された）ＫＮ＿ＲＥ＜Ｘ、ＫＮ＿ＲＥ＞＝Ｘ個のブラインドデコーティング回数種類（すなわち、ブラインドデコーティングＳＥＴＮ＿ＲＥ＜Ｘ、ブラインドデコーティングＳＥＴＮ＿ＲＥ＞＝Ｘ）を割り当てることができる。
【０１３６】
さらに、このような過程によって生成される“ＫＮ＿ＲＥ＜Ｘ、ＫＮ＿ＲＥ＞＝Ｘ個の集約レベル種類とこれに連動したＫＮ＿ＲＥ＜Ｘ、ＫＮ＿ＲＥ＞＝Ｘ個のブラインドデコーティング回数種類”情報を、一つではなく複数個（例えば、２）と事前に定義した後に、基地局が特定時点以降に適用されたり、或いは特定時点に適用される特定の一つの情報（すなわち、事前に定義された複数個の情報から選択された一つの情報）を物理層シグナル或いは上位層シグナルを通じてシグナリングするように設定することもできる。ここで、事前に生成される情報の個数に関する情報は、事前に定義された規則によって暗黙的に定められるように設定されたり、或いは事前に定義されたシグナル（例えば、上位層シグナル或いは物理層シグナル）を通じて基地局が端末に知らせるように設定されてもよい。
【０１３７】
また、実施例として、複数個の“ＫＮ＿ＲＥ＜Ｘ、ＫＮ＿ＲＥ＞＝Ｘ個の集約レベル種類とこれに連動したＫＮ＿ＲＥ＜Ｘ、ＫＮ＿ＲＥ＞＝Ｘ個のブラインドデコーティング回数種類”情報の形成に必要なそれぞれの情報に関するパラメータ（例えば、‘ＫＮ＿ＲＥ＜Ｘ或いはＫＮ＿ＲＥ＞＝Ｘ、ブラインドデコーティングＳＥＴＮ＿ＲＥ＜Ｘ或いはブラインドデコーティングＳＥＴＮ＿ＲＥ＞＝Ｘ、若しくはＡＬＮ＿ＲＥ＜Ｘ或いはＡＬＮ＿ＲＥ＞＝Ｘ’のうち少なくとも一つ）情報は同様に、事前に定義された規則によって暗黙的に設定されたり、或いは事前に定義されたシグナル（例えば、上位層シグナル或いは物理層シグナル）を通じて基地局が端末に知らせるように設定されてもよい。
【０１３８】
また、複数個の“ＫＮ＿ＲＥ＜Ｘ、ＫＮ＿ＲＥ＞＝Ｘ個の集約レベル種類とこれに連動したＫＮ＿ＲＥ＜Ｘ、ＫＮ＿ＲＥ＞＝Ｘ個のブラインドデコーティング回数種類”情報の形成に必要なそれぞれの情報に関するパラメータは、一部が互いに異なるか全てが互いに異なるように設定されてもよく、これはチャネル状態変更或いは一つのＰＲＢ対上でＥＰＤＣＣＨ送信に利用可能なＲＥの個数変化によって適応的に最適の特定情報を選択できるようにする（例えば、事前に互いに異なるパラメータベースの複数情報を定義することによって効率的な適応的選択が可能となるようにする）ためである。
【０１３９】
例えば、２つの情報（すなわち、情報＃Ａ、情報＃Ｂ）が事前に定義される場合、一つの情報（すなわち、情報＃Ａ）は、“Ｎ＿ＲＥ＞＝Ｘでは‘集約レベル｛１，２，４，８｝の場合、ブラインドデコーティングのための設定はＳＥＴＮ＿ＲＥ＞＝Ｘ＝｛６，６，２，２｝’、Ｎ＿ＲＥ＜Ｘでは‘集約レベル｛４，８，１６，３２｝の場合、ブラインドデコーティングのための設定はＳＥＴＮ＿ＲＥ＜Ｘ＝｛６，６，２，２｝’”と構成され、もう一つの情報（すなわち、情報＃Ｂ）は、“Ｎ＿ＲＥ＞＝Ｘでは‘集約レベル｛２，４，８，１６｝の場合、ブラインドデコーティングのための設定はＳＥＴＮ＿ＲＥ＞＝Ｘ＝｛６，６，２，２｝’、Ｎ＿ＲＥ＜Ｘでは‘集約レベル｛４，８，１６，３２｝の場合、ブラインドデコーティングのための設定はＳＥＴＮ＿ＲＥ＜Ｘ＝｛６，６，２，２｝’”と構成されてもよい。さらに、基地局が端末に物理層シグナル或いは上位層シグナルを通じて、特定時点以降に適用されたり、或いは特定時点に適用される情報（すなわち、情報＃Ａ又は情報＃Ｂのいずれか一つ）を知らせることができる。ここで、特に、情報＃Ｂは、チャネル状態がよくない状況或いは一つのＰＲＢ対上でＥＰＤＣＣＨ送信に利用可能なＲＥの個数が十分でない状況で選択できる（例えば、情報＃Ａは、相対的に反対条件の状況で選択できる）。
【０１４０】
また、本発明の実施例に係る設定は、端末がモニタするＤＣＩフォーマットの種類、すなわち、フォールバックＴＭモードベースのＤＣＩ（例えば、ＤＣＩ ０／１Ａ）或いはＴＭモードベースのＤＣＩ（例えば、ＤＣＩ ２／２Ａ／２Ｂ／２Ｃ）別に設定された独立したパラメータに基づいて互いに異なるように動作するように設定されてもよい。言い換えると、本発明の実施例によれば、端末がモニタするＤＣＩフォーマットの種類別に設定された独立したＫ値、最小値の集約レベル（例えば、ＡＬＮ＿ＲＥ＜Ｘ又はＡＬＮ＿ＲＥ＞＝Ｘなど）、Ｋ個が選択される集約レベル種類構成、或いはＫ個のブラインドデコーティング種類構成のうち少なくとも一つに基づいて互いに異なるように動作するように設定されてもよい。
【０１４１】
更に他の本発明の実施例として、ＥＰＤＣＣＨ送信のために複数個のＥＰＤＣＣＨセットが設定された場合、ＥＰＤＣＣＨセット別に設定された独立したパラメータ（例えば、Ｋ値、或いは最小値の集約レベル（例えば、ＡＬＮ＿ＲＥ＜Ｘ又はＡＬＮ＿ＲＥ＞＝Ｘなど）、Ｋが選択される集約レベル種類構成、或いはＫ個のブラインドデコーティング種類構成のうち少なくとも一つ）に基づいて互いに異なるように動作するように設定されてもよい。
【０１４２】
他の提案方法として、複数のＥＰＤＣＣＨセット間にＫ値と、Ｋ個の集約レベルに割り当てられたＫ個のブラインドデコーティング回数（すなわち、｛ＢＤ１，ＢＤ２，…，ＢＤＫ−１，ＢＤＫ｝）を同一に設定し、互いに異なるＥＰＤＣＣＨセット間にＫ個のブラインドデコーティング回数（すなわち、｛ＢＤ１，ＢＤ２，…，ＢＤＫ−１，ＢＤＫ｝）を事前に定義された規則に基づいて効率的に分割することができる。ここで、特定端末が複数のＥＰＤＣＣＨセットに対するブラインドデコーティングを行うとしても、特定端末に対して事前に定義された最大ブラインドデコーティング回数値（すなわち、‘ＢＤ１＋ＢＤ２＋…＋ＢＤＫ−１＋ＢＤＫ’（例えば、１６））を越えないように設定することができる。例えば、局部ＥＰＤＣＣＨ送信のための集約レベル｛１，２，４，８｝ベースのＬ−ＥＰＤＣＣＨセット（すなわち、‘Ｍ＝４’）と分散ＥＰＤＣＣＨ送信のための集約レベル｛１，２，４，８、１６｝ベースのＤ−ＥＰＤＣＣＨセット（すなわち、‘Ｍ＝５’）が設定された環境下で、（集約レベルに関連した）Ｋ値とＫ個のブラインドデコーティング回数｛ＢＤ１，ＢＤ２，…，ＢＤＫ−１，ＢＤＫ｝がそれぞれ同一に‘４’と‘｛６，６，２，２｝に設定され、これに基づき、Ｌ−ＥＰＤＣＣＨセットの場合、‘集約レベル｛１，２，４，８｝のとき、ブラインドデコーティングのための設定｛６，６，２，２｝’、‘Ｄ−ＥＰＤＣＣＨセットが集約レベル｛２，４，８，１６｝のとき、ブラインドデコーティングのための設定｛６，６，２，２｝’と設定されたと仮定する。
【０１４３】
このような場合、特定端末は、事前に定義された分割規則（例えば、ＥＰＤＣＣＨセット間に均等にＢＤ回数を分割）に従って、Ｌ−ＥＰＤＣＣＨセットに対して‘集約レベル｛１，２，４，８｝のとき、ブラインドデコーティングのための設定｛３，３，２，２｝’と見なし、Ｄ−ＥＰＤＣＣＨセットに対して‘集約レベル｛２，４，８，１６｝のとき、ブラインドデコーティングのための設定｛３，３，２，２｝’と見なし、それぞれＥＰＤＣＣＨセットに対する集約レベル別ブラインドデコーティング動作を行うようになる。ここで、特定端末の観点で事前に定義された最大ブラインドデコーティング回数（すなわち、１６）を越えない。
【０１４４】
更に他の本発明の実施例として、上述したＥＰＤＣＣＨ送信のためにＭ個の集約レベルが用いられる場合、事前に定義されたＫ個の集約レベルのみに対してＫ個のＢＤ回数種類（すなわち、｛ＢＤ１，ＢＤ２，…，ＢＤＫ−１，ＢＤＫ｝）が適用されるようにする規則が設定された場合を仮定する。このような場合、端末がモニタするＤＣＩフォーマットの種類（すなわち、フォールバックＴＭモードベースのＤＣＩ（例えば、ＤＣＩ ０／１Ａ）、ＴＭモードベースのＤＣＩ（例えば、ＤＣＩ ２／２Ａ／２Ｂ／２Ｃ））別に設定された独立したパラメータ（例えば、Ｋ値、最小値の集約レベル（例えば、ＡＬＮ＿ＲＥ＜Ｘ又はＡＬＮ＿ＲＥ＞＝Ｘなど）、Ｋ個が選択される集約レベル種類構成、或いはＫ個のブラインドデコーティング種類構成）に基づいて互いに異なるように動作するように設定されてもよい。さらに、ＤＣＩフォーマットの種類別に設定された独立したパラメータに関する情報は、事前に定義された規則によって暗黙的に定められるように設定されたり、或いは事前に定義されたシグナル（例えば、上位層シグナル）を通じて基地局が端末に知らせるように設定されてもよい。
【０１４５】
さらに、ＤＣＩフォーマットの種類別に設定された独立したパラメータ情報ベースの本発明の設定は、一つのＰＲＢ対上でＥＰＤＣＣＨ送信に利用可能なＲＥの個数が事前に定義された臨界値（Ｘ＿ｔｈ）よりも多いか或いは少ないかによって、事前に定義された規則或いは基地局が端末に知らせる関連したさらなる情報に基づいて、異なった実施例（例えば、Ｋ値、最小値の集約レベル（例えば、ＡＬＮ＿ＲＥ＜Ｘ又はＡＬＮ＿ＲＥ＞＝Ｘなど）、Ｋ個が選択される集約レベル種類構成、或いはＫ個のブラインドデコーティング種類構成）が適用されてもよい。
【０１４６】
また、本発明の実施例として、ＤＣＩフォーマットの種類別に適用されるＫ個の集約レベル別ブラインドデコーティング割当に関する情報は、基地局が端末にＤＣＩフォーマットの種類別に事前に定義された独立したシグナル（例えば、上位層シグナル）を通じてそれぞれ知らせたり、或いは基地局が端末に複数のＤＣＩフォーマットの種類に適用可能な単一情報を送信し、該単一情報の意味を端末がＤＣＩフォーマット別に異なるように適用するように設定されてもよい。ここで、複数のＤＣＩフォーマットの種類に適用可能な単一情報を送信する場合、ＤＣＩフォーマット別に集約レベル別ブラインドデコーティング回数割当情報或いはＥＰＤＣＣＨセット間に分割される設定などが事前に基地局と端末間に共有されてもよい。
【０１４７】
さらに、フォールバックＴＭモードベースのＤＣＩ（例えば、ＤＣＩ ０／１Ａ）或いはＴＭモードベースのＤＣＩ（例えば、ＤＣＩ ２／２Ａ／２Ｂ／２Ｃ）のペイロードサイズ（或いは、全体フォーマットビット）は、特定ＴＭモード動作を支援するために要求されるさらなる情報とシステムの帯域幅サイズ（例えば、システム帯域幅のサイズが大きいほど、ＰＤＳＣＨ送信の用途に用いられるＰＲＢ位置を知らせるためのビットが相対的に多く要求される）によって変動されてもよい。例えば、ＤＣＩフォーマットの種類、或いはシステム帯域幅、或いはＥＰＤＣＣＨセットを構成するＰＲＢ対個数情報、或いはＥＰＤＣＣＨセットのＥＰＤＣＣＨ送信タイプ種類情報（例えば、局部或いは分散ＥＰＤＣＣＨセットのサイズ）のうち少なくとも一つによって選択されるＫ個の集約レベル種類及びＫ個の集約レベルに割り当てるブラインドデコーティングの種類／構成を異なるように設定することができる。本発明の実施例として、相対的にペイロードサイズが大きいＤＣＩフォーマット（例えば、ＴＭモードベースのＤＣＩ）の場合、或いはシステム帯域幅が大きい場合に、相対的に高いＫ個の集約レベルに、事前に定義されたブラインドデコーティング回数を優先的に割り当てることができ、このような場合のＤＣＩ送／受信を効率的に行うことができる。他の実施例として、相対的にペイロードサイズが小さいＤＣＩフォーマット（例えば、フォールバックＴＭモードベースのＤＣＩ）の場合、或いはシステム帯域幅が小さい場合には、相対的に低いＫ個の集約レベルに、事前に定義されたブラインドデコーティング回数を優先的に割り当てることによって、複数の端末に対する効率的な検索領域運営を行うことができる。
【０１４８】
また、本発明の実施例では、相対的に高いＫ個の集約レベルに、事前に定義されたブラインドデコーティング回数を優先的に割り当てる設定、或いは相対的に低いＫ個の集約レベルに、事前に定義されたブラインドデコーティング回数を優先的に割り当てる設定によって、ＤＣＩフォーマット別に同一の集約レベル別ブラインドデコーティング回数が割り当てられたり、或いは異なる集約レベル別ブラインドデコーティング回数が割り当てられるようにすることができる。
【０１４９】
ここで、ＤＣＩフォーマット別に同一の集約レベル別ブラインドデコーティング回数を割り当てる設定は、ＥＰＤＣＣＨ送信のためにＭ個の集約レベルが用いられる場合、事前に定義されたＫ個の集約レベルのみに対して事前に定義されたＫ個のＢＤ回数種類（すなわち、｛ＢＤ１，ＢＤ２，…，ＢＤＫ−１，ＢＤＫ｝）が適用されるように設定されたとき、互いに異なるＤＣＩフォーマット間に同一のＫ個の集約レベル種類に事前に定義された同一のＫ個のＢＤ回数構成が適用されるように定義される。
【０１５０】
一方、ＤＣＩフォーマットによってそれぞれ異なる集約レベル別ブラインドデコーティング回数を割り当てる設定は、ＥＰＤＣＣＨ送信のためにＭ個の集約レベルが用いられる場合、事前に定義されたＫ個の集約レベルのみに対して事前に定義されたＫ個のブラインドデコーティング回数種類（すなわち、｛ＢＤ１，ＢＤ２，…、ＢＤＫ−１，ＢＤＫ｝）が適用された場合、互いに異なるＤＣＩフォーマット間に互いに異なるＫ個の集約レベル種類又は／及びＫ個のＢＤ回数構成が適用されるように定義されたり、或いは互いに異なるＤＣＩフォーマット間に特定集約レベルにブラインドデコーティング回数が割り当てられるか否かを異にするように定義されてもよい。例えば、互いに異なるＤＣＩフォーマット間には特定集約レベル（例えば、集約レベル１のように相対的に低い集約レベル）に対する支援の有無が異なるように設定されてもよい。さらに、上記ＤＣＩフォーマットによって同一に或いは異なるように集約レベル別ブラインドデコーティングを割り当てるための情報は、事前に定義された規則によって暗黙的に定められたり、或いは事前に定義されたシグナル（例えば、上位層シグナル或いは物理層シグナル）を通じて基地局が端末に知らせるように設定されてもよい。
【０１５１】
また、本発明に係る実施例として、システム帯域幅が小さく、相対的に低いＫ個の集約レベルに、事前に定義されたブラインドデコーティング回数を優先的に割り当てる方法が適用された場合、基地局は端末に上位層シグナル或いは事前に定義された規則によって、互いに異なるＤＣＩフォーマットに対して同一の“集約レベル｛１，２，４，８、１６｝に対してブラインドデコーティングに関する設定｛６，６，２，２、０｝’の集約レベル別ブラインドデコーティング回数設定が適用されるようにしてもよい。
【０１５２】
他の本発明の実施例として、システム帯域幅が大きく、相対的に高いＫ個の集約レベルに、事前に定義されたブラインドデコーティング回数を優先的に割り当てる方法が適用された場合を仮定する。このとき、基地局は端末に上位層シグナル或いは事前に定義された規則によって、互いに異なるＤＣＩフォーマットに対してそれぞれ異なるＫ個のブラインドデコーティング回数構成を適用することができる。例えば、フォールバックＴＭモードベースのＤＣＩ（例えば、ＤＣＩ ０／１Ａ）に対して、‘集約レベル｛１，２，４，８、１６｝によるブラインドデコーティングに関する設定｛０，８，４，２，２｝’が適用され、ＴＭモードベースのＤＣＩ（例えば、ＤＣＩ ２／２Ａ／２Ｂ／２Ｃ）に対して‘集約レベル｛１，２，４，８、１６｝によるブラインドデコーティングに関する設定｛０，６，６，２，２｝’が適用されてもよい。
【０１５３】
或いは、互いに異なるＤＣＩフォーマット間に特定集約レベル（すなわち、集約レベル１）支援の有無が異なるように設定された場合、フォールバックＴＭモードベースのＤＣＩ（例えば、ＤＣＩ ０／１Ａ）に対して‘集約レベル｛１，２，４，８、１６｝によるブラインドデコーティングに関する設定｛４，４，４，２，２｝’が適用され、ＴＭモードベースのＤＣＩ（例えば、ＤＣＩ ２／２Ａ／２Ｂ／２Ｃ）に対して‘集約レベル｛１，２，４，８，１６｝によるブラインドデコーティングに関する設定｛０，６，６，２，２｝’が適用されるようにすることができる。
【０１５４】
さらに、もし複数のＥＰＤＣＣＨセットが設定された状況であれば、複数のＥＰＤＣＣＨセット間に、事前に定義された規則（例えば、均等分割（Ｅｑｕａｌ  Ｓｐｌｉｔ）或いは非均等分割（Ｕｎｅｑｕａｌ  Ｓｐｌｉｔ））に基づいて集約レベル別ブラインドデコーティング回数が分割されてもよい。
【０１５５】
本発明の更に他の実施例として、特定ＤＣＩフォーマット（例えば、フォールバックＴＭモードベースのＤＣＩ（例えば、ＤＣＩ ０／１Ａ））の場合には、システムの帯域幅の変更或いはＥＰＤＣＣＨセットを構成するＰＲＢ対個数の変更などによる特定ＤＣＩフォーマットのペイロードサイズ変動は大きくないだろう。したがって、本発明では、相対的に高いＫ個の集約レベルに、事前に定義されたブラインドデコーティング回数を優先的に割り当てるように設定されたり、これに関連したシグナリングが受信された状況であっても、ペイロードサイズ変動が大きくない種類の特定ＤＣＩフォーマットは、例外として、事前に定義された規則に従って相対的に低いＫ個の集約レベルに事前に定義されたブラインドデコーティング回数を優先的に割り当てるように設定された場合のように、集約レベル別ブラインドデコーティング回数が割り当てられるように設定されてもよい。さらに、これに関連した情報は、事前に定義された規則によって暗黙的に定められるように設定されたり、或いは事前に定義されたシグナル（例えば、上位層シグナル或いは物理層シグナル）を通じて基地局が端末に知らせるように設定されてもよい。したがって、例えば、端末が基地局から上位層シグナルを通じて相対的に高いＫ個の集約レベルに事前に定義されたブラインドデコーティング回数が優先的に割り当てられるように指示されたとしても、特定ＤＣＩフォーマットの場合には、事前に定義された例外的な規則に基づいて、相対的に低いＫ個の集約レベルに事前に定義されたブラインドデコーティング回数が優先的に割り当てられる方式で集約レベル別ブラインドデコーティング回数割当が適用されてもよい。
【０１５６】
さらに他の本発明の実施例として、基地局から複数のＥＰＤＣＣＨセットが設定された状況下で、それぞれのＥＰＤＣＣＨセットを構成するＰＲＢ対個数の組合せ情報、或いはシステム帯域幅情報、或いはそれぞれのＥＰＤＣＣＨセットのＥＰＤＣＣＨ送信タイプ種類の組合せ情報（例えば、局部或いは分散ＥＰＤＣＣＨセット）、或いは端末がモニタするＤＣＩフォーマットの種類情報、或いはそれぞれのＥＰＤＣＣＨセットで端末がモニタするＤＣＩフォーマット種類の組合せ情報などの組合せに基づいて特定ＤＣＩフォーマットに適用される集約レベル別ＢＤ回数割当情報などが、事前に定義された規則に基づいて選定（例えば、集約レベル別ブラインドデコーティング回数割当情報送信に関連したシグナリングオーバーヘッドを減らすことができる。）されるように設定されてもよい。さらに、上述した複数の情報（すなわち、それぞれのＥＰＤＣＣＨセットを構成するＰＲＢ対個数の組合せ情報、或いはシステム帯域幅情報、或いはそれぞれのＥＰＤＣＣＨセットのＥＰＤＣＣＨ送信タイプ種類の組合せ情報、或いは端末がモニタするＤＣＩフォーマットの種類情報、或いはそれぞれのＥＰＤＣＣＨセットで端末がモニタするＤＣＩフォーマット種類の組合せ情報）の組合せによって、特定ＤＣＩフォーマットに適用される集約レベル別ブラインドデコーティング回数割当情報だけでなく、ＤＣＩフォーマットに関係なく集約レベル別ブラインドデコーティング回数割当情報、或いは特定ＤＣＩフォーマットに割り当てられた集約レベル別ブラインドデコーティング回数割当情報が複数のＥＰＤＣＣＨセット間に分割されるための情報、或いはＤＣＩフォーマットに関係なく割り当てられた集約レベル別ＢＤ回数割当情報が複数のＥＰＤＣＣＨセット間に分割されるための情報などが、事前に定義された規則に基づいて選定されるように設定されてもよい。
【０１５７】
さらに、上述した情報（すなわち、それぞれのＥＰＤＣＣＨセットを構成するＰＲＢ対個数の組合せ情報、或いはシステム帯域幅情報など）の一部の情報の組合せ或いは全ての情報の組合せに連動したＤＣＩフォーマットによる集約レベル別ブラインドデコーティング回数割当情報或いはＥＰＤＣＣＨセット間に分割される情報などは、事前に（例えば、テーブルなどの形態で）基地局と端末間に共有されたり、或いは事前に定義されたシグナル（例えば、上位層シグナル或いは物理層シグナル）を通じて基地局が端末に知らせるように設定されてもよい。又は、上述した情報（すなわち、それぞれのＥＰＤＣＣＨセットを構成するＰＲＢ対個数の組合せ情報、或いはシステム帯域幅情報など）の一部の情報の組合せ或いは全ての情報の組合せに連動したＤＣＩフォーマットに関係なく集約レベル別ブラインドデコーティング回数割当情報、或いはＥＰＤＣＣＨセット間に分割される情報などは、事前に（例えば、テーブルなどの形態で）基地局と端末間に共有されたり、或いは事前に定義されたシグナル（例えば、上位層シグナル或いは物理層シグナル）を通じて基地局が端末に知らせるように設定されてもよい。
【０１５８】
追加の方法として、上述した情報（すなわち、それぞれのＥＰＤＣＣＨセットを構成するＰＲＢ対個数の組合せ情報、或いはシステム帯域幅情報など）の情報の組合せ（例えば、複数のＥＰＤＣＣＨセットを構成するＰＲＢ対個数の組合せ情報）に連動したＤＣＩフォーマットによる集約レベル別ブラインドデコーティング回数割当情報或いはＥＰＤＣＣＨセット間に分割される情報などは、システム帯域幅、或いはそれぞれのＥＰＤＣＣＨセットのＥＰＤＣＣＨ送信タイプ種類の組合せ情報、或いは端末がモニタするＤＣＩフォーマットの種類情報、或いは該当のそれぞれのＥＰＤＣＣＨセットで端末がモニタするＤＣＩフォーマット種類の組合せ情報のうち少なくとも一つによって異なるように適用されるように設定されてもよく、さらに、上述した情報（すなわち、それぞれのＥＰＤＣＣＨセットを構成するＰＲＢ対個数の組合せ情報、或いはシステム帯域幅情報など）の情報組合せに連動したＤＣＩフォーマットに関係なく集約レベル別ブラインドデコーティング回数割当情報或いはＥＰＤＣＣＨセット間に分割される情報などは、システム帯域幅、或いはそれぞれのＥＰＤＣＣＨセットのＥＰＤＣＣＨ送信タイプ種類の組合せ情報、或いは端末がモニタするＤＣＩフォーマットの種類情報、或いは該当のそれぞれのＥＰＤＣＣＨセットで端末がモニタするＤＣＩフォーマット種類の組合せ情報のうち少なくとも一つによって異なるように適用されるように設定されてもよい。さらに、これに関連した設定情報も、事前に定義された規則によって暗黙的に定められたり、或いは事前に定義されたシグナル（例えば、上位層シグナル或いは物理層シグナル）を通じて基地局が端末に知らせるように設定されてもよい。
【０１５９】
端末は、上述した本発明の実施例によって特定集約レベルに対するＥＰＤＣＣＨ候補をモニタして制御情報を受信する（Ｓ１００３）、
上述した本発明の実施例は、搬送波集約（Ｃａｒｒｉｅｒ  Ａｇｇｒｅｇａｔｉｏｎ、ＣＡ）環境下でＥＰＤＣＣＨベースの複数のコンポーネントキャリア（或いは、セル）を用いる場合、或いはＥＰＤＣＣＨベースのコンポーネントキャリア（或いは、セル）とレガシーＰＤＣＣＨベースのコンポーネントキャリア（或いは、セル）を共に用いる場合のいずれにおいても拡張して適用可能である。また、上述した本発明の実施例は、搬送波集約（ＣＡ）環境下でＥＰＤＣＣＨベースの（レガシーＰＤＣＣＨ領域が存在しない）拡張キャリア（Ｅｘｔｅｎｓｉｏｎ  Ｃａｒｒｉｅｒ）が用いられる場合においても拡張して適用可能である。
【０１６０】
図１１は、本発明の実施例に適用し得る基地局及びユーザ機器を例示する図である。無線通信システムにリレイが含まれる場合、バックホールリンクで通信は基地局とリレイ間になされ、アクセスリンクで通信はリレイとユーザ機器間になされる。したがって、図面に例示された基地局又はユーザ機器は、状況に応じてリレイに入れ替えてもよい。
【０１６１】
図１１を参照すると、無線通信システムは、基地局（ＢＳ）１１０及びユーザ機器（ＵＥ）１２０を含む。基地局１１０は、プロセッサ１１２、メモリー１１４及び無線周波数（Ｒａｄｉｏ  Ｆｒｅｑｕｅｎｃｙ、ＲＦ）ユニット１１６を含む。プロセッサ１１２は、本発明で提案した手順及び／又は方法を具現するように構成することができる。メモリー１１４は、プロセッサ１１２と接続し、プロセッサ１１２の動作に関連した様々な情報を記憶する。ＲＦユニット１１６は、プロセッサ１１２と接続し、無線信号を送信及び／又は受信する。ユーザ機器１２０は、プロセッサ１２２、メモリー１２４及びＲＦユニット１２６を含む。プロセッサ１２２は、本発明で提案した手順及び／又は方法を具現するように構成することができる。メモリー１２４は、プロセッサ１２２と接続し、プロセッサ１２２の動作に関連した様々な情報を記憶する。ＲＦユニット１２６は、プロセッサ１２２と接続し、無線信号を送信及び／又は受信する。基地局１１０及び／又はユーザ機器１２０は、単一アンテナ又は多重アンテナを有することができる。
【０１６２】
以上説明してきた実施例は、本発明の構成要素及び特徴を所定形態に結合したものである。各構成要素又は特徴は、別の明示的な言及がない限り、選択的なものとして考慮しなければならない。各構成要素又は特徴は、他の構成要素や特徴と結合しない形態で実施することもでき、一部の構成要素及び／又は特徴を結合して本発明の実施例を構成することもできる。本発明の実施例で説明される動作の順序は変更されてもよい。ある実施例の一部の構成や特徴は、他の実施例に含まれてもよく、他の実施例の対応する構成又は特徴に取り替わってもよい。特許請求の範囲において明示的な引用関係にない請求項を結合して実施例を構成したり、出願後の補正によって新しい請求項として含めたりしてもよいことは明らかである。
【０１６３】
本発明に係る実施例は、様々な手段、例えば、ハードウェア、ファームウェア（ｆｉｒｍｗａｒｅ）、ソフトウェア又はそれらの結合などによって具現することができる。ハードウェアによる具現では、本発明の一実施例は、一つ又はそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現することができる。
【０１６４】
ファームウェアやソフトウェアによる具現では、本発明の一実施例は、以上で説明された機能又は動作を実行するモジュール、手順、関数などの形態として具現されてもよい。ソフトウェアコードは、メモリーユニットに記憶され、プロセッサにより駆動可能である。メモリーユニットは、プロセッサの内部又は外部に設けられ、公知の様々な手段によってプロセッサとデータを交換することができる。
【０１６５】
本発明は、本発明の特徴から逸脱しない範囲で別の特定の形態に具体化されてもよいことが当業者にとっては自明である。したがって、上記の詳細な説明は、いずれの面においても制限的に解釈してはならず、例示的なものとして考慮しなければならない。本発明の範囲は、添付の請求項の合理的な解釈によって決定しなければならず、本発明の等価的範囲内における変更はいずれも本発明の範囲に含まれる。
【産業上の利用可能性】
【０１６６】
上述のような無線通信システムにおいて下りリンク制御情報を検出する方法及びそのための装置は、３ＧＰＰ ＬＴＥシステムに適用される例を中心にして説明したが、３ＧＰＰ ＬＴＥシステムの他、様々な無線通信システムにも適用することができる。
【図１】
0006336981.tif 000019
【図２】
0006336981.tif 000020
【図３】
0006336981.tif 000021
【図４】
0006336981.tif 000022
【図５】
0006336981.tif 000023
【図６】
0006336981.tif 000024
【図７】
0006336981.tif 000025
【図８】
0006336981.tif 000026
【図９】
0006336981.tif 000027
【図１０】
0006336981.tif 000028
【図１１】
0006336981.tif 000029